(57)【要約】  アドレス割当方法および装置、コアネットワーク、ノード、ネットワークシステムならびに媒体が提供される。セッションを確立する場合またはセッションを変更する場合のうち少なくとも１つの場合、少なくとも２つのアップリンクアドレスが構成され、アクセスネットワークに送信される。アクセスネットワークは、少なくとも２つのネットワーク要素ノードの結合によって形成されるコネクティビティネットワークである。少なくとも２つのアップリンクアドレスの少なくとも一部は、ネットワーク要素ノード間で割当てるために使用される。アクセスネットワークは、コアネットワークによって送信された少なくとも２つのアップリンクアドレスを受信し、アクセスネットワークを構成する少なくとも２つのネットワーク要素ノード間で少なくとも２つのアップリンクアドレスを割当てる。アクセスネットワークは、ダウンリンクアドレスをコアネットワークに送信し、アップリンクアドレスの使用およびアップリンクアドレスとダウンリンクアドレスとの間の対応を求める。コアネットワークは、アクセスネットワークによって送信されるダウンリンクアドレスを受信する。
2021520713.tif 000002
【特許請求の範囲】
【請求項１】
アドレス割当方法であって、
セッションを確立する場合またはセッションを変更する場合のうち少なくとも１つの場合、少なくとも２つのアップリンクアドレスを構成し、前記少なくとも２つのアップリンクアドレスをアクセスネットワークに送信することを備え、前記アクセスネットワークは、少なくとも２つのネットワーク要素ノードの結合によって形成されるコネクティビティネットワークであり、前記少なくとも２つのアップリンクアドレスの一部またはすべては、前記少なくとも２つのネットワーク要素ノード間で割当てられるために使用され、前記方法はさらに、
前記アクセスネットワークによって送信されるダウンリンクアドレスを受信し、前記少なくとも２つのアップリンクアドレスの使用および使用アップリンクアドレスと前記ダウンリンクアドレスとの間の対応を求めることを備える、アドレス割当方法。
【請求項２】
前記アクセスネットワークによって送信された前記ダウンリンクアドレスを受信することは、
前記セッションが分割セッションであり前記セッションが少なくとも２つのネットワーク要素ノード上に構成される場合、前記アクセスネットワークによって送信され、かつ、前記セッションで構成される前記少なくとも２つのネットワーク要素ノードの各々のネットワーク要素ノードによって使用されるダウンリンクアドレスを受信することと、
前記セッションが非分割セッションであり前記セッションが１つのネットワーク要素ノード上に構成される場合、前記アクセスネットワークによって送信され、かつ、前記セッションで構成される前記１つのネットワーク要素ノードによって使用されるダウンリンクアドレスを受信することとを含む、請求項１に記載のアドレス割当方法。
【請求項３】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記セッションで構成される前記少なくとも２つのネットワーク要素ノードは、１つのマスターノードと少なくとも１つの二次ノードとを含む、請求項２に記載のアドレス割当方法。
【請求項４】
前記少なくとも２つのアップリンクアドレスに基づいて前記アクセスネットワークによって送信された前記ダウンリンクアドレスを受信した後で、
前記アクセスネットワークによって送信されるリリース通知情報を受信することをさらに備え、前記リリース通知情報は、前記ネットワーク要素ノードに割当てられたアップリンクアドレスの識別情報または前記ネットワーク要素ノードに割当てられていないアップリンクアドレスの識別情報を含み、前記方法はさらに、
前記リリース通知情報に従って、前記ネットワーク要素ノードに割当てられていない前記アップリンクアドレスをリリースすることを備える、請求項１に記載のアドレス割当方法。
【請求項５】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記少なくとも２つのアップリンクアドレスを前記アクセスネットワークに送信することは、前記少なくとも２つのアップリンクアドレスを前記少なくとも１つのマスターノードに送信することを含み、
前記アクセスネットワークによって送信された前記ダウンリンクアドレスを送信することは、前記少なくとも１つのマスターノードによって送信された前記ダウンリンクアドレスを受信することを含む、請求項１から４のいずれか１項に記載のアドレス割当方法。
【請求項６】
前記少なくとも２つのアップリンクアドレスの使用および前記アップリンクアドレスと前記ダウンリンクアドレスとの間の対応を求めることは、アップリンクアドレスとダウンリンクアドレスとの間の事前設定されたマッピング関係および受信したダウンリンクアドレスの数に従って、前記少なくとも２つのアップリンクアドレスの使用および前記アップリンクアドレスと前記ダウンリンクアドレスとの間の対応を求めることを含む、請求項１〜４のいずれか１項に記載のアドレス割当方法。
【請求項７】
アドレス割当方法であって、
セッションを確立する場合またはセッションを変更する場合のうち少なくとも１つの場合、コアネットワークによって送信される少なくとも２つのアップリンクアドレスを受信することと、
前記少なくとも２つのアップリンクアドレスに従って、少なくとも２つのネットワーク要素ノードの結合によって形成されるコネクティビティネットワークであるアクセスネットワークを構成する複数のネットワーク要素ノード間でアップリンクアドレス割当てを行うことと、
ダウンリンクアドレスを前記コアネットワークに送信し、前記少なくとも２つのアップリンクアドレスの使用および使用アップリンクアドレスと前記ダウンリンクアドレスとの間の対応を求めることを備える、方法。
【請求項８】
前記少なくとも２つのアップリンクアドレスに従って、前記アクセスネットワークを構成する前記複数のネットワーク要素ノード間で前記アップリンクアドレス割当てを行うことは、
前記セッションが分割セッションであり前記セッションが少なくとも２つのネットワーク要素ノード上に構成される場合、前記少なくとも２つのアップリンクアドレスのうち１つを、前記セッションで構成される前記少なくとも２つのネットワーク要素ノードの各ネットワーク要素ノードに割当てることと、
前記セッションが非分割セッションであり前記セッションが１つのネットワーク要素ノード上に構成される場合、前記少なくとも２つのアップリンクアドレスのうち１つを、前記セッションで構成される前記１つのネットワーク要素ノードに割当てることを含む、請求項７に記載のアドレス割当方法。
【請求項９】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記セッションで構成される前記少なくとも２つのネットワーク要素ノードは、１つのマスターノードと少なくとも１つの二次ノードとを含み、
前記セッションで構成される前記１つのネットワーク要素ノードは、１つのマスターノードまたは１つの二次ノードを含む、請求項８に記載のアドレス割当方法。
【請求項１０】
１つのアップリンクアドレスをネットワーク要素ノードに割当てるモードは、前記少なくとも２つのアップリンクアドレスから前記少なくとも２つのアップリンクアドレスのうち１つをランダムに選択し割当てを行うこと、または、前記少なくとも２つのアップリンクアドレスがランク付けされる順序に従って割当てを行うことを含む、請求項９に記載のアドレス割当方法。
【請求項１１】
前記少なくとも２つのアップリンクアドレスから前記少なくとも２つのアップリンクアドレスのうち１つをランダムに選択し前記割当てを行うこと、または、前記少なくとも２つのアップリンクアドレスがランク付けされる順序に従って前記割当てを行うことは、
前記セッションが前記非分割セッションであり前記セッションが前記二次ノード上に構成される場合、前記少なくとも２つのアップリンクアドレスのうちいずれか１つを前記二次ノードにランダムに割当てること、または、
前記少なくとも２つのアップリンクアドレスのうち第１にランク付けされたアップリンクアドレスを前記二次ノードに割当てることを含む、請求項１０に記載のアドレス割当方法。
【請求項１２】
前記ダウンリンクアドレスを前記コアネットワークに送信することは、
前記少なくとも２つのアップリンクアドレスのうち前記いずれか１つを前記二次ノードにランダムに割当てる場合、前記二次ノードのダウンリンクアドレスおよび前記二次ノードの前記ダウンリンクアドレスに対応するアップリンクアドレスを前記コアネットワークに送信することと、
前記少なくとも２つのアップリンクアドレスのうち第１にランク付けされた前記アップリンクアドレスを前記二次ノードに割当てる場合、前記二次ノードのダウンリンクアドレスのみを前記コアネットワークに送信することとを含む、請求項１１に記載のアドレス割当方法。
【請求項１３】
リリース通知情報を前記アクセスネットワークに送信することをさらに備え、前記リリース通知情報は、前記ネットワーク要素ノードに割当てられたアップリンクアドレスの識別情報、または前記ネットワーク要素ノードに割当てられていないアップリンクアドレスの識別情報を含み、前記リリース通知情報は、前記コアネットワークが前記ネットワーク要素ノードに割当てられていない前記アップリンクアドレスをリリースするために使用される、請求項８に記載のアドレス割当方法。
【請求項１４】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記コアネットワークによって送信された前記少なくとも２つのアップリンクアドレスを受信することは、前記少なくとも１つのマスターノードが、前記コアネットワークによって送信された前記少なくとも２つのアップリンクアドレスを受信することを含み、
前記少なくとも２つのアップリンクアドレスに従って、前記アクセスネットワークを構成する前記複数のネットワーク要素ノード間で前記アップリンクアドレス割当てを行うことは、前記少なくとも１つのマスターノードが前記少なくとも２つのアップリンクアドレスに従って、前記アクセスネットワークを構成する前記複数のネットワーク要素ノード間で前記アップリンクアドレス割当てを行うことを含み、
前記ダウンリンクアドレスを前記コアネットワークに送信することは、前記少なくとも１つのマスターノードが、前記ダウンリンクアドレスを前記コアネットワークに送信することを含む、請求項７〜１３のいずれか１項に記載のアドレス割当方法。
【請求項１５】
アドレス割当方法であって、
セッションを確立する場合またはセッションを変更する場合のうち少なくとも１つの場合、コアネットワークが、少なくとも２つのアップリンクアドレスを構成し、前記少なくとも２つのアップリンクアドレスをアクセスネットワークに送信することを備え、前記アクセスネットワークは、少なくとも２つのネットワーク要素ノードの結合によって形成されるコネクティビティネットワークであり、前記少なくとも２つのアップリンクアドレスの一部またはすべては、前記少なくとも２つのネットワーク要素ノード間で割当てられるために使用され、前記方法はさらに、
前記アクセスネットワークが、前記コアネットワークによって送信された前記少なくとも２つのアップリンクアドレスを受信し、前記少なくとも２つのアップリンクアドレスに従って、前記アクセスネットワークを構成する前記少なくとも２つのネットワーク要素ノード間でアップリンクアドレス割当てを行うことと、
前記アクセスネットワークが、ダウンリンクアドレスを前記コアネットワークに送信し、前記少なくとも２つのアップリンクアドレスの使用および使用アップリンクアドレスと前記ダウンリンクアドレスとの間の対応を求めることと、
前記コアネットワークが、前記アクセスネットワークによって送信された前記ダウンリンクアドレスを受信することとを備える、アドレス割当方法。
【請求項１６】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記アクセスネットワークが、前記コアネットワークによって送信された前記少なくとも２つのアップリンクアドレスを受信することは、前記少なくとも１つのマスターノードが、前記コアネットワークによって送信された前記少なくとも２つのアップリンクアドレスを受信することを含み、
前記アクセスネットワークが、前記ダウンリンクアドレスを前記コアネットワークに送信することは、前記少なくとも１つのマスターノードが、前記ダウンリンクアドレスを前記コアネットワークに送信することを含む、請求項１５に記載のアドレス割当方法。
【請求項１７】
アドレス割当装置であって、
コア構成モジュールを備え、前記コア構成モジュールは、セッションを確立する場合またはセッションを変更する場合のうちいずれか１つの場合、少なくとも２つのアップリンクアドレスを構成し前記少なくとも２つのアップリンクアドレスをアクセスネットワークに送信するように構成され、前記アクセスネットワークは、少なくとも２つのネットワーク要素ノードの結合によって形成されるコネクティビティネットワークであり、前記少なくとも２つのアップリンクアドレスの一部またはすべては、前記少なくとも２つのネットワーク要素ノード間で割当てられるために使用され、前記アドレス割当装置はさらに、
アドレス受信モジュールを備え、前記アドレス受信モジュールは、前記アクセスネットワークによって送信されるダウンリンクアドレスを受信し、前記少なくとも２つのアップリンクアドレスの使用および使用アップリンクアドレスと前記ダウンリンクアドレスとの間の対応を求めるように構成される、アドレス割当装置。
【請求項１８】
アドレス割当装置であって、
セッションを確立する場合またはセッションを変更する場合のうち少なくとも１つの場合、コアネットワークによって送信される少なくとも２つのアップリンクアドレスを受信するように構成されたアドレス取得モジュールと、
少なくとも２つのネットワーク要素ノードの結合によって形成されたコネクティビティネットワークであるアクセスネットワークを構成する複数のネットワーク要素ノード間で、前記少なくとも２つのアップリンクアドレスに従ってアップリンクアドレス割当てを行うように構成されたアドレス割当モジュールと、
ダウンリンクアドレスを前記コアネットワークに送信し、かつ、前記少なくとも２つのアップリンクアドレスの使用およびアップリンクアドレスと前記ダウンリンクアドレスとの間の対応を求めるように構成されたアドレス送信モジュールとを備える、アドレス割当装置。
【請求項１９】
コアネットワークであって、プロセッサと、メモリと、通信バスとを備え、
前記通信バスは、前記プロセッサと前記メモリとの間の接続および通信を実現するように構成され、
アドレス割当てプログラムが前記メモリに格納され、前記プロセッサは、前記メモリに格納された前記アドレス割当てプログラムを実行して、請求項１〜６のいずれか１項に記載のアドレス割当方法のステップを行うように構成される、コアネットワーク。
【請求項２０】
ネットワーク要素ノードであって、プロセッサと、メモリと、通信バスとを備え、
前記通信バスは、前記プロセッサと前記メモリとの間の接続および通信を実現するように構成され、
アドレス割当てプログラムが前記メモリに格納され、前記プロセッサは、前記メモリに格納された前記アドレス割当てプログラムを実行して、請求項７〜１４のいずれか１項に記載のアドレス割当方法のステップを行うように構成される、コアネットワーク。
【請求項２１】
ネットワークシステムであって、コアネットワークとアクセスネットワークとを備え、前記アクセスネットワークは、少なくとも２つのネットワーク要素ノードの結合によって形成されるコネクティビティネットワークであり、
セッションを確立する場合またはセッションを変更する場合のうち少なくとも１つの場合、前記コアネットワークは、少なくとも２つのアップリンクアドレスを構成し、前記少なくとも２つのアップリンクアドレスを前記アクセスネットワークに送信し、前記少なくとも２つのアップリンクアドレスの一部またはすべては、前記少なくとも２つのネットワーク要素ノード間で割当てられるように構成され、
前記アクセスネットワークは、前記コアネットワークによって送信された前記少なくとも２つのアップリンクアドレスを受信し、前記少なくとも２つのアップリンクアドレスに従って、前記アクセスネットワークを構成する前記少なくとも２つのネットワーク要素ノード間でアップリンクアドレス割当てを行い、
前記アクセスネットワークは、ダウンリンクアドレスを前記コアネットワークに送信し、前記少なくとも２つのアップリンクアドレスの使用および使用アップリンクアドレスと前記ダウンリンクアドレスとの間の対応を求め、
前記コアネットワークは、前記アクセスネットワークによって送信された前記ダウンリンクアドレスを受信する、ネットワークシステム。
【請求項２２】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記アクセスネットワークは、前記コアネットワークによって送信された前記少なくとも２つのアップリンクアドレスを受信することは、
前記少なくとも１つのマスターノードが、前記コアネットワークによって送信された前記少なくとも２つのアップリンクアドレスを受信することを備え、
前記アクセスネットワークは、前記ダウンリンクアドレスを前記コアネットワークに送信することは、
前記少なくとも１つのマスターノーが、前記ダウンリンクアドレスを割当結果に従って前記コアネットワークに送信することを備える、請求項２１に記載のネットワークシステム。
【請求項２３】
少なくとも１つのコンピュータプログラムを格納するコンピュータ読取可能記憶媒体であって、前記少なくとも１つのコンピュータプログラムは、請求項１〜６のいずれか１項に記載のアドレス割当方法のステップ、または請求項７〜１４のいずれか１項に記載のアドレス割当方法のステップを行うように少なくとも１つのプロセッサによって実行可能である、コンピュータ読取可能記憶媒体。
【発明の詳細な説明】
【技術分野】
【０００１】
本出願は、２０１８年４月４日に出願された中国特許出願第ＣＮ２０１８１０３０２０７６．８号の優先権を主張し、ここにその開示全体が引用により援用される。
【０００２】
技術分野
本出願の実施形態は通信分野に関し、たとえば、アドレス割当方法および装置、コアネットワーク、ネットワーク要素ノード、ネットワークシステムならびに媒体に関する。
【背景技術】
【０００３】
背景
関連したアクセスネットワークでは、２つの基地局が密結合されて共同でユーザ装置（ＵＥ）に通信サービスを提供するネットワークモードは、デュアルコネクティビティ（ＤＣ）ネットワークと呼ばれる。図１は、関連技術におけるＤＣネットワークのアーキテクチャ図である。図１に示すように、２つの基地局が、第１のネットワーク要素（Ｍ‐ＮＧ‐ＲＡＮノード）とも呼ばれるマスターノード（ＭＮ）と、第２のネットワーク要素（Ｓ‐ＮＧ‐ＲＡＮノード）とも呼ばれる二次ノード（ＳＮ）とに分けられる。デュアルコネクティビティネットワークの設計は、セッションの通信容量を増大させ得る。セッションと呼ばれる１つのパケットデータユニットセッション（ＰＤＵセッション）は、少なくとも１つのサービス品質フロー（ＱｏＳフロー）を含み得る。コアネットワークは、このセッションについて３種類のＰＤＵセッションを確立する場合がある。３種類のＰＤＵセッションについて、以下で説明する。
【０００４】
タイプ１：分割セッションと呼ばれる分割ＰＤＵセッションであり、このセッションは、ＱｏＳフローの一部がＭＮノード（Ｍ‐ＮＧ‐ＲＡＮノード）において終了し、ＱｏＳフローの残りがＳＮノード（Ｓ‐ＮＧ‐ＲＡＮノード）において終了するように分割される。
【０００５】
タイプ２：ＭＮにおいてアンカーされる非分割ＰＤＵセッションとも呼ばれる、ＭＮにおいて終了する非分割ＰＤＵセッションであり、このセッションは分割されず、このセッションのすべてのＱｏＳフローはＭＮにある。
【０００６】
タイプ３：ＳＮにおいてアンカーされる非分割ＰＤＵセッションとも呼ばれる、ＳＮにおいて終了する非分割ＰＤＵセッションであり、このセッションは分割されず、このセッションのすべてのＱｏＳフローはＭＮにある。
【０００７】
前述の３種類のセッションについて、関連技術では、前述の３種類のセッションにおいてコアネットワークとアクセスネットワークとの間でのアップリンクアドレス割当ての論理が不足していると、実際の適用において問題が生じる。
【発明の概要】
【課題を解決するための手段】
【０００８】
概要
以下は、本明細書において詳細に説明される主題の概要である。本概要は、請求項の範囲を制限することを意図したものではない。
【０００９】
本出願の実施形態は、アクセスネットワークが複数の基地局の結合によって形成されるコネクティビティネットワークである場合の関連技術におけるコアネットワークとアクセスネットワークとの間でのアップリンクアドレスの構成体系の欠如を緩和するために、アドレス割当方法および装置、コアネットワーク、ネットワーク要素ノード、ネットワークシステムならびに媒体を提供する。
【００１０】
本出願の一実施形態は、アドレス割当方法を提供する。この方法は、セッションを確立する場合またはセッションを変更する場合のうち少なくとも１つの場合、少なくとも２つのアップリンクアドレスを構成し、少なくとも２つのアップリンクアドレスをアクセスネットワークに送信するステップを備え、アクセスネットワークは、少なくとも２つのネットワーク要素ノードの結合によって形成されるコネクティビティネットワークであり、少なくとも２つのアップリンクアドレスの一部またはすべては、少なくとも２つのネットワーク要素ノード間で割当てられるために使用され、方法はさらに、アクセスネットワークによって送信されるダウンリンクアドレスを受信し、少なくとも２つのアップリンクアドレスの使用および使用アップリンクアドレスとダウンリンクアドレスとの間の対応を求めるステップを備える。
【００１１】
本出願の一実施形態はさらに、アドレス割当方法を提供する。この方法は、セッションを確立する場合またはセッションを変更する場合のうち少なくとも１つの場合、コアネットワークによって送信される少なくとも２つのアップリンクアドレスを受信するステップと、少なくとも２つのネットワーク要素ノードの結合によって形成されるコネクティビティネットワークであるアクセスネットワークを構成する少なくとも２つのネットワーク要素ノード間で、少なくとも２つのアップリンクアドレスを割当てるステップと、ダウンリンクアドレスをコアネットワークに送信し、少なくとも２つのアップリンクアドレスの使用、および使用アップリンクアドレスとダウンリンクアドレスとの間の対応を求めるステップとを備える。
【００１２】
本出願の一実施形態はさらに、アドレス割当方法を提供する。この方法は、セッションを確立する場合またはセッションを変更する場合のうち少なくとも１つの場合、コアネットワークが、少なくとも２つのアップリンクアドレスを構成し、少なくとも２つのアップリンクアドレスをアクセスネットワークに送信するステップを備え、アクセスネットワークは、少なくとも２つのネットワーク要素ノードの結合によって形成されるコネクティビティネットワークであり、少なくとも２つのアップリンクアドレスの少なくとも一部は、少なくとも２つのネットワーク要素ノード間で割当てられるために使用され、方法はさらに、アクセスネットワークが、コアネットワークによって送信される少なくとも２つのアップリンクアドレスを受信し、アクセスネットワークを構成する複数のネットワーク要素ノード間で少なくとも２つのアップリンクアドレス割当てを行うステップと、アクセスネットワークが、ダウンリンクアドレスをコアネットワークに送信し、少なくとも２つのアップリンクアドレスの使用および使用アップリンクアドレスとダウンリンクアドレスとの間の対応を求めるステップと、コアネットワークが、アクセスネットワークによって送信されるダウンリンクアドレスを受信するステップとを備える。
【００１３】
本出願の一実施形態はさらに、アドレス割当装置を提供する。この装置は、コア構成モジュールとアドレス受信モジュールとを備える。コア構成モジュールは、セッションを確立する場合またはセッションを変更する場合のうち少なくとも１つの場合、少なくとも２つのアップリンクアドレスを構成し、少なくとも２つのアップリンクアドレスをアクセスネットワークに送信するように構成され、アクセスネットワークは、少なくとも２つのネットワーク要素ノードの結合によって形成されるコネクティビティネットワークであり、少なくとも２つのアップリンクアドレスの少なくとも一部は、少なくとも２つのネットワーク要素ノード間で割当てられるために使用される。アドレス受信モジュールは、アクセスネットワークによって送信されるダウンリンクアドレスを受信し、少なくとも２つのアップリンクアドレスの使用および使用アップリンクアドレスとダウンリンクアドレスとの間の対応を求めるように構成される。
【００１４】
本出願の一実施形態はさらに、アドレス割当装置を提供する。この装置は、アドレス取得モジュールと、アドレス割当モジュールと、アドレス送信モジュールとを備える。アドレス取得モジュールは、セッションを確立する場合またはセッションを変更する場合のうち少なくとも１つの場合、コアネットワークによって送信される少なくとも２つのアップリンクアドレスを受信するように構成される。アドレス割当モジュールは、少なくとも２つのネットワーク要素ノードの結合によって形成されるコネクティビティネットワークであるアクセスネットワークを構成する少なくとも２つのネットワーク要素ノード間で、少なくとも２つのアップリンクアドレス割当てを行うように構成される。アドレス送信モジュールは、ダウンリンクアドレスをコアネットワークに送信し、少なくとも２つのアップリンクアドレスの使用および使用アップリンクアドレスとダウンリンクアドレスとの間の対応を求めるように構成される。
【００１５】
本出願の一実施形態はさらに、コアネットワークを提供する。このコアネットワークは、互いに結合された第１のプロセッサと第１のメモリとを備える。アドレス割当てプログラムが第１のメモリに格納される。第１のプロセッサは、第１のメモリに格納されたアドレス割当てプログラムを実行して、前述のアドレス割当方法のステップを行うように構成される。
【００１６】
本出願の一実施形態はさらに、ネットワーク要素ノードを提供する。アクセスネットワークは、少なくとも２つのネットワーク要素ノードの結合によって形成されるコネクティビティネットワークである。アクセスネットワークは、互いに結合された第２のプロセッサと第２のメモリとを備える。アドレス割当てプログラムが第２のメモリに格納される。第２のプロセッサは、第２のメモリに格納されたアドレス割当てプログラムを実行して、前述のアドレス割当方法のステップを行うように構成される。
【００１７】
本出願の一実施形態はさらに、ネットワークシステムを提供する。このネットワークシステムは、コアネットワークとアクセスネットワークとを備える。アクセスネットワークは、少なくとも２つのネットワーク要素ノードの結合によって形成されるコネクティビティネットワークである。セッションを確立する場合またはセッションを変更する場合のうち少なくとも１つの場合、コアネットワークは、少なくとも２つのアップリンクアドレスを構成し、少なくとも２つのアップリンクアドレスをアクセスネットワークに送信し、少なくとも２つのアップリンクアドレスの一部またはすべては、少なくとも２つのネットワーク要素ノード間で割当てられるように使用される。アクセスネットワークは、コアネットワークによって送信される少なくとも２つのアップリンクアドレスを受信し、少なくとも２つのアップリンクアドレスに従って、アクセスネットワークを構成する少なくとも２つのネットワーク要素ノード間でアップリンクアドレス割当てを行う。アクセスネットワークは、ダウンリンクアドレスをコアネットワークに送信し、少なくとも２つのアップリンクアドレスの使用および使用アップリンクアドレスとダウンリンクアドレスとの間の対応を求める。コアネットワークは、アクセスネットワークによって送信されるダウンリンクアドレスを受信する。
【００１８】
本出願の一実施形態はさらに、少なくとも１つのコンピュータプログラムを格納するコンピュータ読取可能記憶媒体を提供する。少なくとも１つのコンピュータプログラムは、前述のアドレス割当方法のステップを行うように少なくとも１つのプロセッサによって実行可能である。
【００１９】
図面および詳細な説明を読み理解すると、他の態様が理解できる。
【図面の簡単な説明】
【００２０】
【図１】本出願の一実施形態に係る、デュアルコネクティビティネットワークのアーキテクチャ図である。
【図２】本出願の一実施形態に係る、コアネットワークとアクセスネットワークとの間の接続を示すアーキテクチャ図である。
【図３】本出願の一実施形態に係る、アップリンクアドレスのセッションへの割当てを示す模式図である。
【図４】本出願の一実施形態に係る、アドレス割当方法のフローチャートである。
【図５】本出願の他の実施形態に係る、アドレス割当方法のフローチャートである。
【図６】本出願の他の実施形態に係る、アドレス割当方法のフローチャートである。
【図７】本出願の一実施形態に係る、アドレス割当方法の信号フロー図である。
【図８】本出願の他の実施形態に係る、アドレス割当方法の信号フロー図である。
【図９】本出願の一実施形態に係る、アドレス割当装置の構成を示す模式図である。
【図１０】本出願の他の実施形態に係る、アドレス割当装置の構成を示す模式図である。
【図１１】本出願の一実施形態に係る、コアネットワークの構成を示す模式図である。
【図１２】本出願の一実施形態に係る、ネットワーク要素ノードの構成を示す模式図である。
【図１３】本出願の一実施形態に係る、ネットワークシステムの構成を示す模式図である。
【発明を実施するための形態】
【００２１】
詳細な説明
本出願の実施形態について、実現例を用いて図面を参照して、以下でさらに詳細に説明する。なお、本明細書で説明される実施形態は本出願を説明することを意図したものにすぎず、本出願を制限するように意図されたものではない。
【００２２】
関連技術における通信ネットワークは、広範に展開されている第４世代（４Ｇ）通信システムと、展開され始めた第５世代（５Ｇ）通信システムとを有する。４Ｇシステムのコアネットワークは、ＥＰＣ（Evolved Packet Core）である。無線インターフェースにおいてＥ‐ＵＴＲＡ（Evolved Universal Terrestrial Radio Access）を用いるｅＮＢ（Evolved Node B）は、４Ｇシステムの無線アクセスネットワーク（ＲＡＮ、本出願の実施形態では単にアクセスネットワークと呼ばれる）において展開される。５Ｇシステムのコアネットワークは、５Ｇコアネットワーク（５ＧＣ）である。無線インターフェースにおいて新しい無線（ＮＲ）アクセスを用いた世代ノードＢ（ｇＮＢ）だけでなく次世代ｅＮＢ（ｎｇ‐ｅＮＢ）も、５ＧシステムのＲＡＮにおいて展開される。
【００２３】
ネットワークアーキテクチャでは、コアネットワークとアクセスネットワークとの間のインターフェースはＮＧインターフェースである。ＮＧインターフェースを利用して送信されるユーザプレーンデータは、ＮＧユーザデータ（ＮＧ‐Ｕデータ）と呼ばれる。図２を参照すると、ＮＧ‐Ｕデータは、コアネットワークからアクセスネットワークに送信されるダウンリンクＮＧ‐Ｕデータと、アクセスネットワークからコアネットワークに送信されるアップリンクＮＧ‐Ｕデータとを含む。
【００２４】
１つのセッション（ＰＤＵセッション）は、少なくとも１つのＱｏＳフローを含む。コアネットワークがあるセッション（ＰＤＵセッション）について２つのアップリンクアドレスを提供する場合、ＮＧ‐ＲＡＮは、１つのアップリンクアドレスを介してコアネットワークにＱｏＳフローの一部のアップリンクＮＧ‐Ｕデータを送信し、他のアップリンクアドレスを介してコアネットワークにＱｏＳフローの残りのアップリンクＮＧ‐Ｕデータを送信し得る。アップリンクアドレスは、トランスポート層情報の情報要素（ＩＥ）において構成される。２つのアップリンクアドレスは単に、本出願の実施形態では、第１のアップリンクアドレスと第２のアップリンクアドレスと呼ばれる。アップリンクアドレスはまた、ＧＴＰトンネル（General Packet Radio Service Tunneling Protocol tunnel）とも呼ばれ、図３に示すように、トランスポート層アドレスとトンネルエンドポイント（ＧＴＰ‐ＴＥＩＤ）とを含む。
【００２５】
本出願の実施形態におけるアクセスネットワークは、少なくとも２つのネットワーク要素ノードの結合で形成されたコネクティビティネットワークのことをいう。アクセスネットワークが２つのネットワーク要素ノードの結合で形成される場合、アクセスネットワークは、デュアルコネクティビティネットワークと呼ばれる。そのようなアクセスネットワークは、大容量セッションの確立を可能にする、すなわち、同時により多くのセッションコンテンツの生成を可能にする。１つのセッションのＱｏＳフローは、アクセスネットワークにおいて、複数の基地局、すなわち、少なくとも２つのネットワーク要素ノードの異なるアップリンクアドレスを用いることによって処理され得る。
【００２６】
本出願の実施形態で言及される使用ダウンリンクアドレスは、コアネットワークがこのダウンリンクアドレスを介してダウンリンクデータを送信すること、すなわち、コアネットワークがこのダウンリンクアドレスにダウンリンクデータを送信することを意味する。使用ダウンリンクアドレスは、占有ダウンリンクアドレスとも呼ばれる。本出願の実施形態で言及される使用アップリンクアドレスは、アクセスネットワークがこのアップリンクアドレスを介してアシテアップリンクデータを送信すること、すなわち、アクセスネットワークがこのアップリンクアドレスにアップリンクデータを送信することを意味する。使用アップリンクアドレスは、占有アップリンクアドレスとも呼ばれる。
【００２７】
図４を参照すると、図４は、本出願の一実施形態に係るアドレス割当方法のフローチャートである。この方法は、ステップＳ４０１およびＳ４０２を含む。
【００２８】
ステップＳ４０１において、セッションを確立する場合またはセッションを変更する場合のうち少なくとも１つの場合、少なくとも２つのアップリンクアドレスが構成され、アクセスネットワークに送信される。アクセスネットワークは、少なくとも２つのネットワーク要素ノードの結合によって形成されるコネクティビティネットワークである。少なくとも２つのアップリンクアドレスの一部またはすべては、これらの少なくとも２つのネットワーク要素ノード間で割当てられるために用いられる。
【００２９】
ステップＳ４０２において、アクセスネットワークによって送信されたダウンリンクアドレスが受信され、これらの少なくとも２つのアップリンクアドレスの使用および使用アップリンクアドレスとダウンリンクアドレスとの間の対応が求められる。
【００３０】
複数のネットワーク要素ノードの結合によって形成されるコネクティビティネットワークに基づいて形成されるアクセスネットワークの場合、セッション分割が実現されるだけでなく、非分割セッションも確保可能である。すなわち、アクセスネットワークにおいて、１つのセッションのＱｏＳフローも、１つのネットワーク要素ノードの１つのアップリンクアドレスを介して処理し得る。
【００３１】
ステップＳ４０１において、セッションを確立する場合またはセッションを変更する場合のうち少なくとも１つの場合、少なくとも２つのアップリンクアドレスが構成され、アクセスネットワークに送信される。セッションを確立する場合またはセッションを変更する場合のうち少なくとも１つの場合とは、本実施形態ではアドレス割当方法のトリガ事象を意味する。「セッションを確立する場合またはセッションを変更する場合」という表現は、セッションを確立するまたはセッションを変更するプロセス全体において、本実施形態におけるアドレス割当方法のステップが行われることを意味する。セッションを確立することは、ユーザによって新たに開始されるネットワークリクエストなどの新しいセッションを生成することを意味する。このセッションは、以前のネットワークでは存在しない。セッションを変更することは、セッションが以前に存在していたが、何らかの理由でセッションの種類またはセッションの関連パラメータを変更する必要があることを意味する。そのような理由には、トリガ事象が含まれる。このトリガ事象では、ネットワークの悪化が原因で、安定性を向上するために、ただ１つのネットワーク要素ノードを介してセッションのＱｏＳフローを処理する必要がある、または、セッションのＱｏＳフローの増加が原因で、セッションの容量を増やすために、本来は非分割のセッションを分割セッションに切り替える必要がある。セッション確立事象またはセッション変更事象のうち少なくとも１つは、コアネットワークによって開始されてもよい、実際の必要性に従ってユーザ装置によって開始されてもよい、または、アクセスネットワークによって開始されてもよい。これは、本実施形態では限定されない。いずれのトリガ条件も本実施形態では可能である。
【００３２】
少なくとも２つのアップリンクアドレスを構成することは、コアネットワークが少なくとも２つのアップリンクアドレスを任意の態様で取得することを意味する。たとえば、コアネットワークは、アドレスプールから任意にもしくは論理的にアップリンクアドレスを選択することによってアップリンクアドレスを取得してもよい、または、コアネットワークのシステム管理機能（ＳＭＦ）などの機能エンティティによってアップリンクアドレスを生成してもよい。少なくとも２つのアップリンクアドレスは、提供されたアップリンクアドレスに従って選択される、セッションの種類およびシーケンスに従って選択される、またはアクセスネットワークによって割当てられるように、関連するアップリンクアドレスから任意に選択される。いずれのセッションの種類でも必ずアップリンクアドレスが割当てに十分であるように、コアネットワークによって提供されるアップリンクアドレスの数は、アクセスネットワークにおいて結合されたネットワーク要素ノードの数以上でもよい。当然のことながら、コアネットワークによって提供されるアップリンクアドレス内のすべてのアドレスがアクセスネットワークによって割当てられるわけではない。アクセスネットワークは、確立されたセッションの種類または変更されたセッションの種類のうち少なくとも１つに従って、アップリンクアドレスの数および対応する割当てモードを求める。セッションの種類が分割セッションの場合、アップリンクアドレスの数は２以上でなければならない。セッションの種類が非分割セッションの場合、ただ１つのアップリンクアドレスが必要である。すなわち、アップリンクアドレスの少なくとも一部は、ネットワーク要素ノード間で割当てられるために使用される。少なくとも一部は、これらの少なくとも２つのアップリンクアドレスの一部またはすべてでもよい。
【００３３】
ステップＳ４０２において、アクセスネットワークによって送信されたダウンリンクアドレスが受信される。コアネットワークによって送信されたアップリンクアドレスを受信した後で、アクセスネットワークは、セッションの種類に従ってアップリンクアドレス割当てを行って、対応するセッションの生成、対応するセッションの変更、ならびに対応するセッションの生成および変更を行ってもよい。一実施形態では、アクセスネットワークによって送信されるダウンリンクアドレスを受信するステップは、セッションが分割セッションでありセッションが少なくとも２つのネットワーク要素ノード上に構成されるという判断に応じて、アクセスネットワークによって送信され、かつ、セッションで構成される少なくとも２つのネットワーク要素ノードによって使用されるダウンリンクアドレスを受信するステップと、セッションが非分割セッションでありセッションがいずれか１つのネットワーク要素ノード上に構成されるという判断に応じて、アクセスネットワークによって送信され、かつ、セッションで構成されたこのいずれか１つのネットワーク要素ノードによって使用されるダウンリンクアドレスを受信するステップとを含む。「セッションが分割セッションであるという判断に応じて」という表現は、セッションのＱｏＳフローが複数のネットワーク要素ノードを介してコアネットワークとやり取りし得ることを意味する。この場合、アップリンクアドレスが割当てられたネットワーク要素ノードに従って、これらのネットワーク要素ノードによって使用されるダウンリンクアドレスを求める必要がある。これらのダウンリンクアドレスは、これらのネットワーク要素ノードによって使用されるアップリンクアドレスに対応する。セッションが非分割セッションの場合、セッション内の情報のやり取りは、アクセスネットワークのただ１つのネットワーク要素ノードを介して実現され、このネットワーク要素ノードによって使用されるダウンリンクアドレスを、このネットワーク要素ノードに従って求める必要がある。このダウンリンクアドレスは、このネットワーク要素ノードによって使用されるアップリンクアドレスに対応する。１つの同じネットワーク要素ノードは、同時に複数の異なるセッションを扱ってもよい。それに応じて、１つの同じネットワーク要素ノードは、同時に複数の異なるセッションの種類を扱ってもよい。たとえば、セッションＡが分割セッションの場合、ネットワーク要素ノードＮは、分割セッションにおいてアンカーとして機能し、アップリンクアドレスＡおよび対応するダウンリンクアドレスＡを割当てられてもよい。一方、セッションＢが非分割セッションでありネットワーク要素ノードＮ上に構成される場合、ネットワーク要素ノードＮは、同時にセッションＢを扱い、アップリンクアドレスＢおよび対応するダウンリンクアドレスＢを割当てられてもよい。アップリンクアドレスＡおよびアップリンクアドレスＢは、同時に１つの同じネットワーク要素ノード上に存在してもよい。ダウンリンクアドレスＡおよびダウンリンクアドレスＢも同様である。本出願の本実施形態で言及されるネットワーク要素ノードによって使用されるダウンリンクアドレスは、コアネットワークがダウンリンクデータをこのダウンリンクアドレスを介してアクセスネットワークに送信することを意味する。使用されるダウンリンクアドレスは、占有ダウンリンクアドレスとも呼ばれる。
【００３４】
一実施形態では、セッションが非分割セッションでありセッションがいずれか１つのネットワーク要素ノード上に構成されるという判断に応じて、ネットワーク要素ノードによって使用されるダウンリンクアドレスを受信するステップは、セッションが非分割セッションでありセッションがマスターノード上に構成されるという判断に応じて、マスターノードによって使用されるダウンリンクアドレスを受信するステップと、セッションが非分割セッションでありセッションが二次ノード上に構成されるという判断に応じて、二次ノードによって使用されるダウンリンクアドレスを受信するステップとを含む。アクセスネットワーク内のネットワーク要素ノードの種類は、マスターノードおよび二次ノードの２種類に分類される。二次ノードおよびコアネットワークはユーザデータのやり取りのみを行う一方で、マスターノードおよびコアネットワークは、ユーザデータのやり取りに加えて、制御データのやり取りも行い得る。１つのコアネットワークでは、結合ネットワーク要素ノードは、少なくとも１つのマスターノードと他のネットワーク要素ノードとを含み、他のネットワーク要素ノードは、二次ネットワーク要素ノードである。通常、ただ１つのマスターノードが設けられ、二次ノードとコアネットワークとの間の制御シグナリングのやり取りがマスターノードを介して行われる。セッションがマスターノードにおいてアンカーされる非分割セッションの場合、マスターノードによって使用されるダウンリンクアドレスが受信される。セッションが二次ノードにおいてアンカーされるセッションの場合、二次ノードによって使用されるダウンリンクアドレスが受信される。二次ノードによって使用されるダウンリンクアドレスを受信する場合、二次ノードはまず、マスターノードにダウンリンクアドレスを送信し、マスターノードはその後、ダウンリンクアドレスをコアネットワークに送信する。
【００３５】
一実施形態では、アクセスネットワークによって送信されるダウンリンクアドレスを受信するステップは、ネットワーク要素ノードによって使用されるダウンリンクアドレスおよび対応するアップリンクアドレスのステップを含む。あるセッションでは、ネットワーク要素ノードによって使用されるアップリンクアドレスは、ネットワーク要素ノードによって使用されるダウンリンクアドレスに対応し、アクセスネットワークは、アップリンクアドレスがランク付けされる順序、すなわち、コアネットワークによって求められる第１のアップリンクアドレス、第２のアップリンクアドレス・・・といった順序に従って、アップリンクアドレスを割当ててもよい。この場合、コアネットワークは、アップリンクアドレスが割当てられたネットワーク要素ノードによって使用されるダウンリンクアドレスを知るだけでよい。アクセスネットワークは、ランダムにアップリンクアドレスを割当ててもよい、すなわち、ランダムに複数のアップリンクアドレスからアップリンクアドレスを選択し、このアップリンクアドレスを割当ててもよい。この場合、コアネットワークは、アップリンクアドレスの使用およびコアネットワークによって送信されたアップリンクアドレスとダウンリンクアドレスとの間の対応を知るだけでよい。アップリンクアドレスの使用は少なくとも、コアネットワークによって送信されたアップリンクアドレスのうち、割当てられているアップリンクアドレスを含む。これに対応して、割当てられていないアップリンクアドレスが知られてもよい。アップリンクアドレスとダウンリンクアドレスとの間の対応は、アップリンクアドレスを割当てられたネットワーク要素ノードによって使用されるアップリンクアドレスとダウンリンクアドレスとの間の対応である。たとえば、アップリンクアドレスの使用およびアップリンクアドレスとダウンリンクアドレスとの間の対応のステップが、アップリンクアドレスとダウンリンクアドレスとの間の事前設定されたマッピング関係および受信されたダウンリンクアドレスの数に従った、アップリンクアドレスの使用およびアップリンクアドレスとダウンリンクアドレスとの間の対応のステップを含んでもよい。アップリンクアドレスとダウンリンクアドレスとの間の事前設定されたマッピング関係は、アップリンクアドレスとダウンリンクアドレスとの間の１対１のマッピング関係でもよく、アップリンクアドレスは、順番にダウンリンクアドレスにマッピングされる。たとえば、第１のアップリンクアドレスは第１のダウンリンクアドレスにマッピングされ、第２のアップリンクアドレスは第２のダウンリンクアドレスにマッピングされ、・・・というものである。その後、アクセスネットワークが割当てを行うと、コアネットワークは、アクセスネットワークによって送信されたダウンリンクアドレスの数に従って、アップリンクアドレスの使用、およびアップリンクアドレスとダウンリンクアドレスとの間の対応を求めてもよい。たとえば、コアネットワークは、アクセスネットワークによって送信されるダウンリンクアドレスを受信し、第１のアップリンクアドレスのみがアクセスネットワークによって割当てられ、第１のアップリンクアドレスが第１のダウンリンクアドレスに対応するということが知られてもよい。
【００３６】
一実施形態では、少なくとも２つのネットワーク要素ノードは、少なくとも１つのマスターノードと、少なくとも１つのマスターノードを除くネットワーク要素ノードとを含み、ネットワーク要素ノードは二次ノードである。セッションで構成された複数のネットワーク要素ノードは、１つのマスターノードと少なくとも１つの二次ノードとを含み得る。少なくとも２つのアップリンクアドレスをアクセスネットワークに送信するステップは、少なくとも２つのアップリンクアドレスをマスターノードに送信するステップを含み得る。それに応じて、アクセスネットワークによって送信されるダウンリンクアドレスを受信するステップは、マスターノードによって送信されたダウンリンクアドレスを受信するステップを含み得る。すなわち、アクセスネットワークは、マスターノードを介してコアネットワークと制御シグナリングのやり取りを行い、二次ノードの制御命令が、同じくマスターノードを介してコアネットワークに送信される。
【００３７】
一実施形態では、アップリンクアドレスに基づいてアクセスネットワークによって送信されたダウンリンクアドレスが受信された後で、アドレス割当方法はさらに、アクセスネットワークによって送信されるリリース通知情報を受信し、リリース通知情報がネットワーク要素ノードに割当てられたアップリンクアドレスの識別情報、またはネットワーク要素ノードに割当てられていないアップリンクアドレスの識別情報を含むステップと、ネットワーク要素ノードに割当てられていないアップリンクアドレスをリリース通知情報に従ってリリースするステップとを備える。コアネットワークがアップリンクアドレスをアクセスネットワークに送信しアクセスネットワークが割当てを行った後は、アクセスネットワークは、コアネットワークによって送信されたアップリンクアドレスを必ずしも全て使用しない。アクセスネットワークによって使用されないアップリンクアドレスの場合、コアネットワークは、後の使用または他のセッションによる使用のためにこれらのアップリンクアドレスをリリースしてもよい。リリースされるべきアップリンクアドレスを知るために、コアネットワークは、アクセスネットワークによって送信されたリリース通知情報を受信してもよい。リリース通知情報は、割当てられたアップリンクアドレスの識別情報または割当てられていないアップリンクアドレスの識別情報を含み得る。割当てられたアップリンクアドレスの識別情報は、割当てられたアップリンクアドレスそのもののことを言う場合がある、または、割当てられたアップリンクアドレスを特徴付け得る識別情報のことをいう場合がある。割当てられていないアップリンクアドレスの識別情報についても同様である。アクセスネットワークがコアネットワークによって送信されたアップリンクアドレスを順番にアクセスネットワーク内の少なくとも２つのネットワーク要素ノードに割当てる場合、コアネットワークがネットワーク要素ノードに割当てられていないアップリンクアドレスを求めその後リリースしてネットワークリソースを節約できるように、コアネットワークは、アクセスネットワークによって送信されたアクセスネットワークにおけるダウンリンクアドレスの使用に従って、割当てられたアップリンクアドレスを求めることが可能である点は、言及すべきである。
【００３８】
本実施形態は、関連技術におけるコアネットワークとアクセスネットワークとの間のアップリンクアドレス割当て方式の欠如を緩和するために、アドレス割当方法を提供する。セッションを確立する場合またはセッションを変更する場合のうち少なくとも１つの場合、コアネットワークは、少なくとも２つのアップリンクアドレスを構成し、これらの少なくとも２つのアップリンクアドレスをアクセスネットワークに送信する。アクセスネットワークは、少なくとも２つのネットワーク要素ノードの結合によって形成されるコネクティビティネットワークである。少なくとも２つのアップリンクアドレスの少なくとも一部は、少なくとも２つのネットワーク要素ノード間で割当てられるために使用される。アクセスネットワークは、コアネットワークによって送信される少なくとも２つのアップリンクアドレスを受信し、アクセスネットワークを構成する少なくとも２つのネットワーク要素ノード間で少なくとも２つのアップリンクアドレスを割当てる。アクセスネットワークは、割当結果に従ってダウンリンクアドレスをコアネットワークに送信し、アップリンクアドレスの使用およびアップリンクアドレスとダウンリンクアドレスとの間の対応を求め、コアネットワークは、ダウンリンクアドレスを受信する。そのため、アップリンクアドレス割当ては、コアネットワークと少なくとも２つのネットワーク要素ノードの結合によって形成されるアクセスネットワークとの間で実現される。
【００３９】
図５を参照すると、図５は、本出願の一実施形態に係るアドレス割当方法のフローチャートである。この方法は、ステップＳ５０１〜Ｓ５０３を備える。
【００４０】
ステップＳ５０１において、セッションを確立する場合またはセッションを変更する場合のうち少なくとも１つの場合、コアネットワークによって送信された少なくとも２つのアップリンクアドレスが受信される。
【００４１】
ステップＳ５０２において、少なくとも２つのアップリンクアドレスに従って、アクセスネットワークを構成するネットワーク要素ノード間でアップリンクアドレス割当てが行われる。アクセスネットワークは、少なくとも２つのネットワーク要素ノードの結合によって形成されたコネクティビティネットワークである。
【００４２】
ステップＳ５０３において、ダウンリンクアドレスがコアネットワークに送信され、少なくとも２つのアップリンクアドレスの使用、および使用アップリンクアドレスとダウンリンクアドレスとの間の対応が求められる。
【００４３】
セッションを確立する場合またはセッションを変更する場合のうち少なくとも１つの場合とは、本実施形態ではアドレス割当方法のトリガ事象を意味する。「セッションを確立する場合またはセッションを変更する場合」という表現は、セッションを確立するまたはセッションを変更するプロセス全体において、本実施形態におけるアドレス割当方法のステップが行われることを意味する。セッションを確立することは、ユーザによって新たに開始されるネットワークリクエストなどの新しいセッションを生成することを意味する。このセッションは、以前のネットワークでは存在しない。セッションを変更することは、セッションが以前に存在していたが、何らかの理由でセッションの種類またはセッションの関連パラメータを変更する必要があることを意味する。そのような理由には、トリガ事象が含まれる。このトリガ事象では、ネットワークの悪化が原因で、安定性を向上するために、ただ１つのネットワーク要素ノードを介してセッションのＱｏＳフローを処理する必要がある、または、セッションのＱｏＳフローの増加が原因で、セッションの容量を増やすために、本来は非分割のセッションを分割セッションに切り替える必要がある。セッション確立事象またはセッション変更事象のうち少なくとも１つは、コアネットワークによって開始されてもよい、実際の必要性に従ってユーザ装置によって開始されてもよい、または、アクセスネットワークによって開始されてもよい。これは、本実施形態では限定されない。いずれのトリガ条件も本実施形態では可能である。
【００４４】
いずれのセッションの種類でも必ずアップリンクアドレスが割当てに十分であるように、コアネットワークによって提供されるアップリンクアドレスの数は、アクセスネットワークにおいて結合されたネットワーク要素ノードの数以上でもよい。当然のことながら、コアネットワークによって提供されるアップリンクアドレス内のすべてのアドレスがアクセスネットワークによって割当てられるわけではない。アクセスネットワークは、確立されたセッションの種類または変更されたセッションの種類のうち少なくとも１つに従って、アップリンクアドレスの数および対応する割当てモードを求める。セッションの種類が分割セッションの場合、アップリンクアドレスの数は２以上でなければならない。セッションの種類が非分割セッションの場合、ただ１つのアップリンクアドレスが必要である。すなわち、アップリンクアドレスの少なくとも一部は、ネットワーク要素ノード間で割当てられるために使用される。少なくとも一部は、これらの少なくとも２つのアップリンクアドレスの一部またはすべてでもよい。
【００４５】
一実施形態では、少なくとも２つのアップリンクアドレスに従ってアクセスネットワークを構成するネットワーク要素ノード間でアップリンクアドレス割当てを行うステップは、セッションが分割セッションでありセッションが少なくとも２つのネットワーク要素ノード上に構成されるという判断に応じて、セッションで構成される少なくとも２つのネットワーク要素ノードの各々に１つのアップリンクアドレスを割当てるステップと、セッションが非分割セッションでありセッションがいずれか１つのネットワーク要素ノード上に構成されるという判断に応じて、セッションで構成されたこのいずれか１つのネットワーク要素ノードに１つのアップリンクアドレスを割当てるステップとを含む。「セッションが分割セッションであるという判断に応じて」という表現は、セッションのＱｏＳフローが複数のネットワーク要素ノードを介してコアネットワークとやり取りし得ることを意味し、そのため、アップリンクアドレスを割当てるモードは、セッションで構成された複数のネットワーク要素ノードの各々に１つのアップリンクアドレスが割当てられることを意味する。「セッションが非分割セッションであるという判断に応じて」という表現は、セッションで構成されるネットワーク要素ノードに１つのアップリンクアドレスが割当てられることを意味する。
【００４６】
一実施形態では、１つのアップリンクアドレスをネットワーク要素ノードに割当てるモードは、少なくとも２つのアップリンクアドレスから１つのアップリンクアドレスを任意に選択し割当てを行うこと、または、少なくとも２つのアップリンクアドレスがランク付けされる順序に従って割当てを行うことを含み得る。
【００４７】
一実施形態では、少なくとも２つのネットワーク要素ノードは、少なくとも１つのマスターノードと、少なくとも１つのマスターノードを除くネットワーク要素ノードとを含んでもよく、ネットワーク要素ノードは二次ノードである。セッションで構成される少なくとも２つのネットワーク要素ノードは、１つのマスターノードと少なくとも１つの二次ノードとを含む。セッションで構成されるネットワーク要素ノードは、１つのマスターノードまたは１つの二次ノードを含む。すなわち、セッションが分割セッションの場合、セッションで構成されるネットワーク要素ノードは、マスターノードと二次ノードとを備え得る。アップリンクアドレスは、複数のアップリンクアドレスから任意に選択する態様で割当てられてもよい、または、「マスターノードから二次ノードへの」順序およびアップリンクアドレス内の複数のアップリンクアドレスがランク付けされる順序に従って割当てられてもよい。
【００４８】
一実施形態では、１つのアップリンクアドレスを少なくとも２つのアップリンクアドレスから任意に選択し割当てを行う、または少なくとも２つのアップリンクアドレスがランク付けされる順序に従って割当てを行うステップは、セッションが非分割セッションでありセッションが二次ノード上に構成されるという判断に応じて、少なくとも２つのアップリンクアドレスのうちいずれか１つを二次ノードに任意に割当てるステップ、または、少なくとも２つのアップリンクアドレスのうち第１にランク付けされたアップリンクアドレスを二次ノードに割当てるステップを含む。それに応じて、本実施形態では、ダウンリンクアドレスをコアネットワークに送信するステップは、少なくとも２つのアップリンクアドレスのうちいずれか１つを二次ノードに任意に割当てるという判断に応じて、二次ノードのダウンリンクアドレスと対応するアップリンクアドレスとをコアネットワークに送信するステップと、少なくとも２つのアップリンクアドレスのうち第１にランク付けされたアップリンクアドレスを二次ノードに割当てるという判断に応じて、二次ノードのダウンリンクアドレスのみをコアネットワークに送信するステップとを含む。
【００４９】
一実施形態では、アドレス割当方法はさらに、リリース通知情報をコアネットワークに送信し、リリース通知情報は、ネットワーク要素ノードに割当てられたアップリンクアドレスの識別情報、またはネットワーク要素ノードに割当てられていないアップリンクアドレスの識別情報を含み、リリース通知情報は、コアネットワークが、ネットワーク要素ノードに割当てられていないアップリンクアドレスをリリースするために使用されるステップを備える。コアネットワークがアップリンクアドレスをアクセスネットワークに送信しアクセスネットワークが割当てを行った後は、アクセスネットワークは、コアネットワークによって送信されたアップリンクアドレスを必ずしもすべて使用しない。アクセスネットワークによって使用されていないアップリンクアドレスの場合、コアネットワークは、後での使用または他のセッションによる使用のためにこれらのアップリンクアドレスをリリースしてもよい。リリースされるべきアップリンクアドレスを知るために、コアネットワークは、アクセスネットワークによって送信されたリリース通知情報を受信してもよい。リリース通知情報は、割当てられたアップリンクアドレスの識別情報または割当てられていないアップリンクアドレスの識別情報を含み得る。割当てられたアップリンクアドレスの識別情報は、割当てられたアップリンクアドレスそのもののことをいってもよい、または、割当てられたアップリンクアドレスを特徴付け得る識別情報のことをいってもよい。割当てられていないアップリンクアドレスの識別情報も同様である。アクセスネットワークが、コアネットワークによって送信されたアップリンクアドレスをアクセスネットワーク内の少なくとも２つのネットワーク要素ノードに順番に割当てる場合、コアネットワークがネットワーク要素ノードに割当てられていないアップリンクアドレスを求めその後そのアップリンクアドレスをリリースしてネットワークリソースを節約できるように、コアネットワークが、アクセスネットワークによって送信されたアクセスネットワークにおけるダウンリンクアドレスの使用に従って、割当てられたアップリンクアドレスを求めることが可能である点は、言及すべきである。
【００５０】
一実施形態では、少なくとも２つのネットワーク要素ノードは、少なくとも１つのマスターノードと、少なくとも１つのマスターノードを除くネットワーク要素ノードとを含んでもよく、ネットワーク要素ノードは二次ノードである。コアネットワークによって送信された少なくとも２つのアップリンクアドレスを受信するステップは、マスターノードが、コアネットワークによって送信された少なくとも２つのアップリンクアドレスを受信するステップを含む。少なくとも２つのアップリンクアドレスに従ってアクセスネットワークを構成するネットワーク要素ノード間でアップリンクアドレス割当てを行うステップは、マスターノードが、少なくとも２つのアップリンクアドレスに従ってアクセスネットワークを構成するネットワーク要素ノード間でアップリンクアドレス割当てを行うステップを含む。割当結果に従ってダウンリンクアドレスをコアネットワークに送信するステップは、マスターノードが、割当結果に従ってダウンリンクアドレスをコアネットワークに送信するステップを含む。すなわち、アクセスネットワークは、アクセスネットワークにおけるマスターノードを介したコアネットワークとの制御シグナリングのやり取りを行い、二次ノードの制御命令が、同じくマスターノードを介してコアネットワークに送信される。
【００５１】
本実施形態は、関連技術におけるコアネットワークとアクセスネットワークとの間のアップリンクアドレス割当て方式の欠如を緩和するために、アドレス割当方法を提供する。セッションを確立する場合またはセッションを変更する場合のうち少なくとも１つの場合、コアネットワークは、少なくとも２つのアップリンクアドレスを構成し、これらの少なくとも２つのアップリンクアドレスをアクセスネットワークに送信する。アクセスネットワークは、少なくとも２つのネットワーク要素ノードの結合によって形成されるコネクティビティネットワークである。少なくとも２つのアップリンクアドレスの少なくとも一部は、少なくとも２つのネットワーク要素ノード間で割当てられるために使用される。アクセスネットワークは、コアネットワークによって送信される少なくとも２つのアップリンクアドレスを受信し、アクセスネットワークを構成する少なくとも２つのネットワーク要素ノード間で少なくとも２つのアップリンクアドレスを割当てる。アクセスネットワークは、割当結果に従ってダウンリンクアドレスをコアネットワークに送信し、コアネットワークは、ダウンリンクアドレスを受信する。そのため、アップリンクアドレス割当ては、コアネットワークと少なくとも２つのネットワーク要素ノードの結合によって形成されるアクセスネットワークとの間で実現される。
【００５２】
図６を参照すると、図６は、本出願の一実施形態に係るアドレス割当方法のフローチャートである。方法は、ステップＳ６０１〜Ｓ６０３を備える。
【００５３】
ステップＳ６０１において、セッションを確立する場合またはセッションを変更する場合のうち少なくとも１つの場合、コアネットワークは、少なくとも２つのアップリンクアドレスを構成し、これらの少なくとも２つのアップリンクアドレスをアクセスネットワークに送信する。アクセスネットワークは、少なくとも２つのネットワーク要素ノードの結合によって形成されるコネクティビティネットワークである。これらの少なくとも２つのアップリンクアドレスの一部またはすべては、少なくとも２つのネットワーク要素ノード間で割当てられるために使用される。
【００５４】
ステップＳ６０２において、アクセスネットワークは、コアネットワークによって送信された少なくとも２つのアップリンクアドレスを受信し、少なくとも２つのアップリンクアドレスに従って、アクセスネットワークを構成する少なくとも２つのネットワーク要素ノード間でアップリンクアドレス割当てを行う。
【００５５】
ステップＳ６０３において、アクセスネットワークは、ダウンリンクアドレスをコアネットワークに送信し、少なくとも２つのアップリンクアドレスの使用および使用アップリンクアドレスとダウンリンクアドレスとの間の対応を求め、コアネットワークは、アクセスネットワークによって送信されたダウンリンクアドレスを受信する。
【００５６】
セッションを確立する場合またはセッションを変更する場合のうち少なくとも１つの場合とは、本実施形態ではアドレス割当方法のトリガ事象を意味する。「セッションを確立する場合またはセッションを変更する場合」という表現は、セッションを確立するまたはセッションを変更するプロセス全体において、本実施形態におけるアドレス割当方法のステップが行われることを意味する。セッションを確立することは、ユーザによって新たに開始されるネットワークリクエストなどの新しいセッションを生成することを意味する。このセッションは、以前のネットワークでは存在しない。セッションを変更することは、セッションが以前に存在していたが、何らかの理由でセッションの種類またはセッションの関連パラメータを変更する必要があることを意味する。そのような理由には、トリガ事象が含まれる。このトリガ事象では、ネットワークの悪化が原因で、安定性を向上するために、ただ１つのネットワーク要素ノードを介してセッションのＱｏＳフローを処理する必要がある、または、セッションのＱｏＳフローの増加が原因で、セッションの容量を増やすために、本来は非分割のセッションを分割セッションに切り替える必要がある。セッション確立事象またはセッション変更事象のうち少なくとも１つは、コアネットワークによって開始されてもよい、実際の必要性に従ってユーザ装置によって開始されてもよい、または、アクセスネットワークによって開始されてもよい。これは、本実施形態では限定されない。いずれのトリガ条件も本実施形態では可能である。
【００５７】
いずれのセッションの種類でも必ずアップリンクアドレスが割当てに十分であるように、コアネットワークによって提供されるアップリンクアドレスの数は、アクセスネットワークにおいて結合されたネットワーク要素ノードの数以上でもよい。当然のことながら、コアネットワークによって提供されるアップリンクアドレス内のすべてのアドレスがアクセスネットワークによって割当てられるわけではない。アクセスネットワークは、確立されたセッションの種類または変更されたセッションの種類のうち少なくとも１つに従って、アップリンクアドレスの数および対応する割当てモードを求める。たとえば、セッションの種類が分割セッションの場合、アップリンクアドレスの数は２以上でなければならない一方で、セッションの種類が非分割セッションの場合、ただ１つのアップリンクアドレスが必要である。すなわち、アップリンクアドレスの少なくとも一部は、ネットワーク要素ノード間で割当てられるために使用される。少なくとも一部は、これらの少なくとも２つのアップリンクアドレスの一部またはすべてでもよい。
【００５８】
セッションが分割セッションでありセッションが少なくとも２つのネットワーク要素ノード上に構成されるという判断に応じて、１つのアップリンクアドレスが、セッションで構成される少なくとも２つのネットワーク要素ノードの各々に割当てられる。セッションが非分割セッションでありセッションがいずれか１つのネットワーク要素ノード上に構成されるという判断に応じて、１つのアップリンクアドレスが、セッションで構成されるこのいずれか１つのネットワーク要素ノードに割当てられる。「セッションが分割セッションであるという判断に応じて」という表現は、セッションのＱｏＳフローが複数のネットワーク要素ノードを介してコアネットワークとやり取りし得ることを意味し、そのため、アップリンクアドレスを割当てるモードは、セッションで構成される少なくとも２つのネットワーク要素ノードの各々に１つのアップリンクアドレスが割当てられることを意味する。「セッションが非分割セッションであるという判断に応じて」という表現は、セッションで構成されるネットワーク要素ノードに１つのアップリンクアドレスが割当てられることを意味する。
【００５９】
少なくとも２つのネットワーク要素ノードは、少なくとも１つのマスターノードと、少なくとも１つのマスターノードを除くネットワーク要素ノードとを含んでもよく、ネットワーク要素ノードは二次ノードである。セッションで構成される少なくとも２つのネットワーク要素ノードは、１つのマスターノードと少なくとも１つの二次ノードとを含む。すなわち、セッションが分割セッションの場合、セッションで構成されるネットワーク要素ノードは、マスターノードと二次ノードとを備え得る。アップリンクアドレスは、複数のアップリンクアドレスから任意に選択する態様で割当てられてもよい、または、「マスターノードから二次ノードへの」順序およびアップリンクアドレス内の複数のアップリンクアドレスがランク付けされる順序に従って割当てられてもよい。
【００６０】
少なくとも２つのネットワーク要素ノードは、少なくとも１つのマスターノードと、少なくとも１つのマスターノードを除くネットワーク要素ノードとを含んでもよく、ネットワーク要素ノードは二次ノードである。コアネットワークによって送信された少なくとも２つのアップリンクアドレスを受信するステップは、マスターノードが、コアネットワークによって送信された少なくとも２つのアップリンクアドレスを受信するステップを含む。少なくとも２つのアップリンクアドレスに従って、アクセスネットワークを構成する少なくとも２つのネットワーク要素ノード間でアップリンクアドレス割当てを行うステップは、マスターノードが、少なくとも２つのアップリンクアドレスに従って、アクセスネットワークを構成する少なくとも２つのネットワーク要素ノード間でアップリンクアドレス割当てを行うステップを含む。割当結果に従ってダウンリンクアドレスをコアネットワークに送信するステップは、マスターノードが、割当結果に従ってダウンリンクアドレスをコアネットワークに送信するステップを含む。すなわち、アクセスネットワークは、アクセスネットワークにおけるマスターノードを介したコアネットワークとの制御シグナリングのやり取りを行い、二次ノードの制御命令が、同じくマスターノードを介してコアネットワークに送信される。
【００６１】
リリース通知情報をコアネットワークに送信する。リリース通知情報は、ネットワーク要素ノードに割当てられたアップリンクアドレスの識別情報、またはネットワーク要素ノードに割当てられていないアップリンクアドレスの識別情報を含む。リリース通知情報は、コアネットワークが、ネットワーク要素ノードに割当てられていないアップリンクアドレスをリリースするために使用される。コアネットワークがアップリンクアドレスをアクセスネットワークに送信しアクセスネットワークが割当てを行った後は、アクセスネットワークは、コアネットワークによって送信されたアップリンクアドレスを必ずしもすべて使用しない。アクセスネットワークによって使用されていないアップリンクアドレスの場合、コアネットワークは、後での使用または他のセッションによる使用のためにこれらのアップリンクアドレスをリリースしてもよい。リリースされるべきアップリンクアドレスを知るために、コアネットワークは、アクセスネットワークによって送信されたリリース通知情報を受信してもよい。リリース通知情報は、割当てられたアップリンクアドレスの識別情報または割当てられていないアップリンクアドレスの識別情報を含み得る。割当てられたアップリンクアドレスの識別情報は、割当てられたアップリンクアドレスそのもののことをいってもよい、または、割当てられたアップリンクアドレスを特徴付け得る識別情報のことをいってもよい。割当てられていないアップリンクアドレスの識別情報も同様である。アクセスネットワークが、コアネットワークによって送信されたアップリンクアドレスをアクセスネットワーク内の少なくとも２つのネットワーク要素ノードに順番に割当てる場合、コアネットワークがネットワーク要素ノードに割当てられていないアップリンクアドレスを求めその後そのアップリンクアドレスをリリースしてネットワークリソースを節約できるように、コアネットワークが、アクセスネットワークによって送信されたアクセスネットワークにおけるダウンリンクアドレスの使用に従って、割当てられたアップリンクアドレスを求めることが可能である点は、言及すべきである。
【００６２】
本実施形態は、関連技術におけるコアネットワークとアクセスネットワークとの間のアップリンクアドレス割当て方式の欠如を緩和するために、アドレス割当方法を提供する。セッションを確立する場合またはセッションを変更する場合のうち少なくとも１つの場合、コアネットワークは、少なくとも２つのアップリンクアドレスを構成し、これらの少なくとも２つのアップリンクアドレスをアクセスネットワークに送信する。アクセスネットワークは、少なくとも２つのネットワーク要素ノードの結合によって形成されるコネクティビティネットワークである。少なくとも２つのアップリンクアドレスの少なくとも一部は、少なくとも２つのネットワーク要素ノード間で割当てられるために使用される。アクセスネットワークは、コアネットワークによって送信される少なくとも２つのアップリンクアドレスを受信し、アクセスネットワークを構成する少なくとも２つのネットワーク要素ノード間で少なくとも２つのアップリンクアドレスを割当てる。アクセスネットワークは、割当結果に従ってダウンリンクアドレスをコアネットワークに送信し、コアネットワークは、ダウンリンクアドレスを受信する。そのため、アップリンクアドレス割当ては、コアネットワークと少なくとも２つのネットワーク要素ノードの結合によって形成されるアクセスネットワークとの間で実現される。
【００６３】
図７を参照すると、図７は、本出願の一実施形態に係るアドレス割当方法の信号フロー図である。アクセスネットワーク、すなわち、マスターノードおよび二次ノードの２つのネットワーク要素ノードの結合によって形成されるデュアルコネクティビティネットワークについて、例として説明する。本実施形態のアドレス割当方法は、ステップＳ７０１〜ステップＳ７０５を備える。
【００６４】
ステップＳ７０１において、コアネットワークと無線アクセスネットワークとの間でセッションを確立するプロセスにおいて、すなわち、ＰＤＵセッションリソースセットアップ手順において、コアネットワークのＡＭＦ（Access and Mobility Management Function）が、ＰＤＵセッションリソースリクエストメッセージをアクセスネットワークに送信する。リクエストメッセージは、ＲＡＮがアップリンクＮＧ‐Ｕデータを送信するための２つのアップリンクアドレスを含む。ＲＡＮは、アップリンクアドレスのうち１つまたは２つを用いて、アップリンクＮＧ‐Ｕデータをコアネットワークに送信してもよい。
【００６５】
ステップＳ７０２において、アクセスネットワークはＰＤＵセッションを確立する。
タイプ１セッション、すなわち分割セッションが確立される場合、マスターノードは、ＳＮ加算リクエストメッセージを二次ノードに送信する。このメッセージは、マスターノードによって二次ノードに転送され、かつ、アップリンクＮＧ‐Ｕデータを送信するために二次ノードによって使用されるアップリンクアドレス（たとえば、ＵＰＦにおけるＵＮ  ＮＧ‐Ｕ  ＧＴＰトンネルエンドポイント）を含む。このアドレスは、マスターノードによって受信されるコアネットワークの第２のアップリンクアドレスである。すなわち、マスターノードは、それ自体のために第１のアップリンクアドレスを使用し、二次ノードが第２のアップリンクアドレスを使用可能になるように、第２のアップリンクアドレスを二次ノードに送信する。
【００６６】
タイプ２セッション、すなわち非分割セッションが確立されセッションがマスターノード上に構成される場合、マスターノードは、ＳＮ加算リクエストメッセージを二次ノードに送信する必要がない。これは、セッションのＱｏＳフローがすべてマスターノードそのものにあるからである。すなわち、タイプ２セッションでは、マスターノードと二次ノードとの間でＸｎシグナリングのやり取りが必要ではない。
【００６７】
タイプ３セッション、すなわち非分割セッションが確立されセッションが二次ノード上に構成される場合、マスターノードは、ＳＮ加算リクエストメッセージを二次ノードに送信する。このメッセージは、マスターノードによって二次ノードに転送され、かつ、アップリンクＮＧ‐Ｕデータを送信するために二次ノードによって使用されるアップリンクアドレスを含む。このアドレスは、マスターノードによって受信されるコアネットワークの第１のアップリンクアドレスでもよい。
【００６８】
ステップＳ７０３において、二次ノードは、タイプ２セッションの場合を除いて、ＳＮ加算リクエスト確認メッセージをマスターノードに送信する。このメッセージは、二次ノードのダウンリンクアドレス（たとえば、ＮＧ‐ＲＡＮにおけるＮＧ‐Ｕ  ＤＬ  ＧＴＰトンネルエンドポイント）を含む。このダウンリンクアドレスは、ＮＧ‐Ｕデータの送信のために使用される。
【００６９】
ステップＳ７０４において、マスターノードは、コアネットワークのＡＭＦにＰＤＵセッションリソースセットアップ応答メッセージを送信する。このメッセージは、ＮＧ‐ＲＡＮの１つまたは２つのダウンリンクアドレスを含み、１つまたは２つのダウンリンクアドレスは、コアネットワークからアクセスネットワークへのダウンリンクＮＧ‐Ｕデータの送信のために使用される。
【００７０】
（１）アクセスネットワークがタイプ１セッションとしてＰＤＵセッション、すなわち、分割ＰＤＵセッションを確立する場合、アクセスネットワークはコアネットワークに、２つのダウンリンクアドレス、すなわち、マスターノードのダウンリンクアドレス（Ｍ‐ＮＧ‐ＲＡＮノードにおけるＮＧ‐Ｕ  ＤＬ  ＧＴＰトンネルエンドポイント）および二次ノードのダウンリンクアドレス（Ｓ‐ＮＧ‐ＲＡＮノードにおけるＮＧ‐Ｕ  ＤＬ  ＧＴＰトンネルエンドポイント）を送信する。ダウンリンクＮＧ‐Ｕデータをマスターノードおよび二次ノードに送信するために、２つのダウンリンクアドレスがコアネットワークによって使用される。マスターノードのダウンリンクアドレスは、コアネットワークによって送信される第１のアップリンクアドレスに対応し、二次ノードのダウンリンクアドレスは、コアネットワークによって送信される第２のアップリンクアドレスに対応する。すなわち、マスターノードは、第１のアップリンクアドレスをマスターノードのダウンリンクアドレスと一対にし、第２のアップリンクアドレスを二次ノードのダウンリンクアドレスと一対にする。
【００７１】
（２）アクセスネットワークが非分割ＰＤＵセッションとしてＰＤＵセッションを確立する場合、アクセスネットワークは、１つのダウンリンクアドレスをコアネットワークに送信する。このダウンリンクアドレスは、常に第１のアップリンクアドレスと一対にされる。このダウンリンクアドレスについて、以下で説明する。
【００７２】
ＰＤＵセッションがタイプ２セッション、すなわち、ＭＮで終了する非分割ＰＤＵセッションの場合、アクセスネットワークは、マスターノードのダウンリンクアドレスをコアネットワークに送信する。
【００７３】
ＰＤＵセッションがタイプ３セッション、すなわち、ＳＮで終了する非分割ＰＤＵセッションの場合、アクセスネットワークは、二次ノードのダウンリンクアドレスをコアネットワークに送信する。
【００７４】
ステップＳ７０５において、コアネットワークがアクセスネットワークの１つのダウンリンクアドレスを受信する場合、コアネットワークは、受信したダウンリンクアドレスを第１のアップリンクアドレスと一対にする。一実施形態では、コアネットワークは、第２のアップリンクアドレスをリリースしてもよい。
【００７５】
図８を参照すると、図８は、本出願の一実施形態に係るアドレス割当方法の信号フロー図である。アクセスネットワーク、すなわち、マスターノードおよび二次ノードの２つのネットワーク要素ノードの結合によって形成されるデュアルコネクティビティネットワークについて、例として説明する。本実施形態のアドレス割当方法は、ステップＳ８０１〜ステップＳ８０５を備える。
【００７６】
ステップＳ８０１において、コアネットワークと無線アクセスネットワークとの間でセッションを確立するプロセスにおいて、すなわち、セッションリソースセットアップ手順において、コアネットワークのＡＭＦが、ＰＤＵセッションリソースリクエストメッセージをアクセスネットワークに送信する。リクエストメッセージは、アクセスネットワークがアップリンクＮＧ‐Ｕデータを送信するための２つのアップリンクアドレスを含む。ＲＡＮは、アップリンクアドレスのうち１つまたは２つを用いて、アップリンクＮＧ‐Ｕデータをコアネットワークに送信してもよい。
【００７７】
ステップＳ８０２において、アクセスネットワークはＰＤＵセッションを確立する。
タイプ１セッションが確立される場合およびタイプ２セッションが確立される場合、詳細は実施形態４と同じである。
【００７８】
タイプ３セッション、すなわち非分割セッションが確立されセッションが二次ノード上に構成される場合、マスターノードは、ＳＮ加算リクエストメッセージを二次ノードに送信する。このメッセージは、マスターノードによって二次ノードに転送され、かつ、アップリンクＮＧ‐Ｕデータを送信するために二次ノードによって使用されるアップリンクアドレスを含む。このアップリンクアドレスは、マスターノードによって受信されるコアネットワークの２つのアップリンクアドレスのうちいずれか１つでもよい。すなわち、二次ノードがアップリンクアドレスのうちこのいずれか１つを使用できるように、マスターノードは、アップリンクアドレスのうちいずれか１つを二次ノードに転送する。
【００７９】
ステップＳ８０３において、二次ノードは、タイプ２セッションの場合を除いて、ＳＮ加算リクエスト確認メッセージをマスターノードに送信する。このメッセージは、二次ノードのダウンリンクアドレス（たとえば、アクセスネットワークにおけるＮＧ‐Ｕ  ＤＬ  ＧＴＰトンネルエンドポイント）を含む。このダウンリンクアドレスは、ＮＧ‐Ｕデータの送信のために使用される。
【００８０】
ステップＳ８０４において、マスターノードは、ＰＤＵセッションリソースセットアップ応答メッセージをコアネットワークのＡＭＦに送信する。このメッセージは、アクセスネットワークの１つまたは２つのダウンリンクアドレスを含み、１つまたは２つのダウンリンクアドレスは、コアネットワークからＲＡＮへのダウンリンクＮＧ‐Ｕデータの送信のために使用される。
【００８１】
（１）実施形態４と同様に、アクセスネットワークがタイプ１セッションとしてＰＤＵセッション、すなわち、分割セッションを確立する場合、アクセスネットワークはコアネットワークに、２つのダウンリンクアドレス、すなわち、マスターノードのダウンリンクアドレス（Ｍ‐ＮＧ‐ＲＡＮノードにおけるＮＧ‐Ｕ  ＤＬ  ＧＴＰトンネルエンドポイント）および二次ノードのダウンリンクアドレス（Ｓ‐ＮＧ‐ＲＡＮノードにおけるＮＧ‐Ｕ  ＤＬ  ＧＴＰトンネルエンドポイント）を送信する。ダウンリンクＮＧ‐Ｕデータをマスターノードおよび二次ノードに送信するために、２つのダウンリンクアドレスがコアネットワークによって使用される。マスターノードのダウンリンクアドレスは、コアネットワークによって送信される第１のアップリンクアドレスに対応し、二次ノードのダウンリンクアドレスは、コアネットワークによって送信される第２のアップリンクアドレスに対応する。すなわち、マスターノードは、第１のアップリンクアドレスをマスターノードのダウンリンクアドレスと一対にし、第２のアップリンクアドレスを二次ノードのダウンリンクアドレスと一対にする。
【００８２】
（２）アクセスネットワークが非分割ＰＤＵセッションとしてＰＤＵセッションを確立する場合、アクセスネットワークは、１つのダウンリンクアドレスおよびアクセスネットワークによって使用されているアップリンクアドレスまたは使用されていないアップリンクアドレスをコアネットワークに送信する。すなわち、マスターノードは、割当てられたダウンリンクアドレスをこのダウンリンクアドレスと一対にする。このダウンリンクアドレスについて、以下で説明する。
【００８３】
ＰＤＵセッションがタイプ２セッション、すなわちＭＮで終了する非分割ＰＤＵセッションの場合、アクセスネットワークは、マスターノードのダウンリンクアドレスをコアネットワークに送信する。
【００８４】
ＰＤＵセッションがタイプ３セッション、すなわちＳＮで終了する非分割ＰＤＵセッションの場合、アクセスネットワークは、二次ノードのダウンリンクアドレスをコアネットワークに送信し、アクセスネットワークは、アクセスネットワークによって使用されるアップリンクアドレスをコアネットワークに送信する、または、アクセスネットワークによって使用されていないアップリンクアドレスをコアネットワークに送信する。
【００８５】
ステップＳ８０５において、アクセスネットワークの１つのダウンリンクアドレスを受信すると、コアネットワークは、アクセスネットワークのダウンリンクアドレスを使用アップリンクアドレスと一対にする。一実施形態では、コアネットワークは、使用されていないアップリンクアドレスをリリースしてもよい。
【００８６】
図９を参照すると、図９は、本出願の一実施形態に係るアドレス割当装置の構成を示す模式図である。装置は、コア構成モジュール９０１とアドレス受信モジュール９０２とを備える。
【００８７】
コア構成モジュール９０１は、セッションを確立する場合またはセッションを変更する場合のうち少なくとも１つの場合、少なくとも２つのアップリンクアドレスを構成し、かつ、少なくとも２つのアップリンクアドレスをアクセスネットワークに送信するように構成される。アクセスネットワークは、少なくとも２つのネットワーク要素ノードの結合によって形成されるコネクティビティネットワークである。少なくとも２つのアップリンクアドレスの一部またはすべては、少なくとも２つのネットワーク要素ノード間で割当てられるために使用される。
【００８８】
アドレス受信モジュール９０２は、アクセスネットワークによって送信されるダウンリンクアドレスを受信し、かつ、少なくとも２つのアップリンクアドレスの使用、および使用アップリンクアドレスとダウンリンクアドレスとの間の対応を求めるように構成される。
【００８９】
複数のネットワーク要素ノードの結合によって形成されるコネクティビティネットワークに基づいて形成されるアクセスネットワークの場合、セッション分割が実現されるだけでなく、非分割セッションも確保可能である。すなわち、アクセスネットワークにおいて、１つのセッションのＱｏＳフローも、１つのネットワーク要素ノードの１つのアップリンクアドレスを介して処理されてもよい。
【００９０】
セッションを確立する場合またはセッションを変更する場合のうち少なくとも１つの場合とは、本実施形態ではアドレス割当方法のトリガ事象を意味する。「セッションを確立する場合またはセッションを変更する場合」という表現は、セッションを確立するまたはセッションを変更するプロセス全体において、本実施形態におけるアドレス割当方法のステップが行われることを意味する。セッションを確立することは、ユーザによって新たに開始されるネットワークリクエストなどの新しいセッションを生成することを意味する。このセッションは、以前のネットワークでは存在しない。セッションを変更することは、セッションが以前に存在していたが、何らかの理由でセッションの種類またはセッションの関連パラメータを変更する必要があることを意味する。そのような理由には、トリガ事象が含まれる。このトリガ事象では、ネットワークの悪化が原因で、安定性を向上するために、ただ１つのネットワーク要素ノードを介してセッションのＱｏＳフローを処理する必要がある、または、セッションのＱｏＳフローの増加が原因で、セッションの容量を増やすために、本来は非分割のセッションを分割セッションに切り替える必要がある。
【００９１】
一実施形態では、アクセスネットワークによって送信されるダウンリンクアドレスを受信する動作は、セッションが分割セッションでありセッションが少なくとも２つのネットワーク要素ノード上に構成されるという判断に応じて、アクセスネットワークによって送信され、かつ、アップリンクアドレスが割当てられた少なくとも２つのネットワーク要素ノードによって使用されるダウンリンクアドレスを受信する動作と、セッションが非分割セッションでありセッションがいずれか１つのネットワーク要素ノード上で構成されるという判断に応じて、アクセスネットワークによって送信され、かつ、アップリンクアドレスが割当てられたこのいずれか１つのネットワーク要素ノードによって使用されるダウンリンクアドレスを受信する動作とを含む。「セッションが分割セッションであるという判断に応じて」という表現は、セッションのＱｏＳフローが複数のネットワーク要素ノードを介してコアネットワークとやり取りし得ることを意味する。この場合、アップリンクアドレスが割当てられたネットワーク要素ノードに従って、これらのネットワーク要素ノードによって使用されるダウンリンクアドレスを求める必要がある。これらのダウンリンクアドレスは、これらのネットワーク要素ノードによって使用されるアップリンクアドレスに対応する。セッションが非分割セッションの場合、セッション内の情報のやり取りは、アクセスネットワークのただ１つのネットワーク要素ノードを介して実現され、このネットワーク要素ノードによって使用されるダウンリンクアドレスを、このネットワーク要素ノードに従って求める必要がある。このダウンリンクアドレスは、このネットワーク要素ノードによって使用されるアップリンクアドレスに対応する。
【００９２】
一実施形態では、セッションが非分割セッションでありセッションがいずれか１つのネットワーク要素ノード上に構成されるという判断に応じて、ネットワーク要素ノードによって使用されるダウンリンクアドレスを受信する動作はさらに、セッションが非分割セッションでありセッションがマスターノード上に構成されるという判断に応じて、マスターノードによって使用されるダウンリンクアドレスを受信する動作と、セッションが非分割セッションでありセッションが二次ノード上に構成されるという判断に応じて、二次ノードによって使用されるダウンリンクアドレスを受信する動作とを含み得る。
【００９３】
一実施形態では、アクセスネットワークによって送信されるダウンリンクアドレスを受信する動作はさらに、ネットワーク要素ノードによって使用されるダウンリンクアドレスと対応するアップリンクアドレスとを受信する動作を含み得る。
【００９４】
一実施形態では、少なくとも２つのネットワーク要素ノードは、少なくとも１つのマスターノードと、少なくとも１つのマスターノードを除くネットワーク要素ノードとを含み、ネットワーク要素ノードは二次ノードである。少なくとも２つのアップリンクアドレスをアクセスネットワークに送信する動作は、少なくとも２つのアップリンクアドレスをマスターノードに送信する動作を含む。それに応じて、アクセスネットワークによって送信されるダウンリンクアドレスを受信する動作は、マスターノードによって送信されたダウンリンクアドレスを受信する動作を含む。すなわち、アクセスネットワークは、マスターノードを介してコアネットワークと制御シグナリングのやり取りを行い、二次ノードの制御命令が、同じくマスターノードを介してコアネットワークに送信される。
【００９５】
一実施形態では、アップリンクアドレスに基づいてアクセスネットワークによって送信されるダウンリンクアドレスを受信する動作の後で、さらに、アクセスネットワークによって送信されたリリース通知情報を受信する動作であって、リリース通知情報は、ネットワーク要素ノードに割当てられたアップリンクアドレスの識別情報、またはネットワーク要素ノードに割当てられていないアップリンクアドレスの識別情報を含む動作と、リリース通知情報に従って、ネットワーク要素ノードに割当てられていないアップリンクアドレスをリリースする動作とが含まれる。
【００９６】
図１０を参照すると、図１０は、本出願の一実施形態に係るアドレス割当装置の構成を示す模式図である。この装置は、アドレス取得モジュール１０１と、アドレス割当モジュール１０２と、アドレス送信モジュール１０３とを備える。
【００９７】
アドレス取得モジュール１０１は、セッションを確立する場合またはセッションを変更する場合のうち少なくとも１つの場合、コアネットワークによって送信される少なくとも２つのアップリンクアドレスを受信するように構成される。
【００９８】
アドレス割当モジュール１０２は、少なくとも２つのアップリンクアドレスに従ってアクセスネットワークを構成するネットワーク要素ノード間でアップリンクアドレス割当てを行うように構成される。アクセスネットワークは、少なくとも２つのネットワーク要素ノードの結合によって形成されるコネクティビティネットワークである。
【００９９】
アドレス送信モジュール１０３は、ダウンリンクアドレスをコアネットワークに送信し、かつ、少なくとも２つのアップリンクアドレスの使用、および使用アップリンクアドレスとダウンリンクアドレスとの間の対応を求めるように構成される。
【０１００】
一実施形態では、少なくとも２つのアップリンクアドレスに従ってアクセスネットワークを構成するネットワーク要素ノード間でアップリンクアドレス割当てを行う動作は、セッションが分割セッションでありセッションが少なくとも２つのネットワーク要素ノード上に構成されるという判断に応じて、セッションで構成される少なくとも２つのネットワーク要素ノードの各々に１つのアップリンクアドレスを割当てる動作と、セッションが非分割セッションでありセッションがいずれか１つのネットワーク要素ノード上に構成されるという判断に応じて、セッションで構成されるこのいずれか１つのネットワーク要素ノードに１つのアップリンクアドレスを割当てる動作とを含む。「セッションが分割セッションであるという判断に応じて」という表現は、セッションのＱｏＳフローが複数のネットワーク要素ノードを介してコアネットワークとやり取り可能であることを意味し、アップリンクアドレスを割当てるモードは、セッションで構成されるネットワーク要素ノードの各々に１つのアップリンクアドレスが割当てられることである。「セッションが非分割セッションであるという判断に応じて」という表現は、セッションで構成されるネットワーク要素ノードに１つのアップリンクアドレスが割当てられることを意味する。
【０１０１】
一実施形態では、１つのアップリンクアドレスをネットワーク要素ノードに割当てるモードは、少なくとも２つのアップリンクアドレスから１つのアップリンクアドレスを任意に選択し割当てを行うこと、または少なくとも２つのアップリンクアドレスがランク付けされる順序に従って割当てを行うことを含み得る。
【０１０２】
一実施形態では、少なくとも２つのネットワーク要素ノードは、少なくとも１つのマスターノードと、少なくとも１つのマスターノードを除くネットワーク要素ノードとを含んでもよく、ネットワーク要素ノードは二次ノードである。セッションで構成される少なくとも２つのネットワーク要素ノードは、１つのマスターノードと少なくとも１つの二次ノードとを含む。すなわち、セッションが分割セッションの場合、セッションで構成されるネットワーク要素ノードは、マスターノードおよび二次ノードを含む。アップリンクアドレスは、複数のアップリンクアドレスから任意に選択する態様で割当てられてもよい、または、「マスターノードから二次ノードへの」順序もしくはアップリンクアドレスがランク付けされる順序に従って割当てられてもよい。
【０１０３】
一実施形態では、リリース通知情報をコアネットワークに送信する動作をさらに含み得る。リリース通知情報は、ネットワーク要素ノードに割当てられたアップリンクアドレスの識別情報、またはネットワーク要素ノードに割当てられていないアップリンクアドレスの識別情報を含む。リリース通知情報は、コアネットワークが、ネットワーク要素ノードに割当てられていないアップリンクアドレスをリリースするために使用される。コアネットワークがアップリンクアドレスをアクセスネットワークに送信しアクセスネットワークが割当てを行った後は、アクセスネットワークは、コアネットワークによって送信されたアップリンクアドレスを必ずしもすべて使用しない。アクセスネットワークによって使用されていないアップリンクアドレスの場合、コアネットワークは、後での使用または他のセッションによる使用のためにこれらのアップリンクアドレスをリリースしてもよい。リリースされるべきアップリンクアドレスを知るために、コアネットワークは、アクセスネットワークによって送信されるリリース通知情報を受信してもよい。リリース通知情報は、割当てられたアップリンクアドレスの識別情報または割当てられていないアップリンクアドレスの識別情報を含み得る。割当てられたアップリンクアドレスの識別情報は、割当てられたアップリンクアドレスそのもののことをいってもよく、割当てられたアップリンクアドレスを特徴付け得る識別情報のことをいってもよい。割当てられていないアップリンクアドレスの識別情報も同様である。アクセスネットワークが、コアネットワークによって送信されたアップリンクアドレスをアクセスネットワーク内の少なくとも２つのネットワーク要素ノードに順番に割当てる場合、コアネットワークがネットワーク要素ノードに割当てられていないアップリンクアドレスを求めその後リリースして、ネットワークリソースを節約できるように、アクセスネットワークによって送信されたアクセスネットワークにおけるダウンリンクアドレスの使用に従って、コアネットワークが割当てられたアップリンクアドレスを求めることが可能である点は、言及すべきである。
【０１０４】
一実施形態では、少なくとも２つのネットワーク要素ノードは、少なくとも１つのマスターノードと、少なくとも１つのマスターノードを除くネットワーク要素ノードとを含んでもよく、ネットワーク要素ノードは二次ノードである。コアネットワークによって送信される少なくとも２つのアップリンクアドレスを受信する動作は、マスターノードがコアネットワークによって送信される少なくとも２つのアップリンクアドレスを受信する動作を含む。少なくとも２つのアップリンクアドレスに従ってアクセスネットワークを構成する少なくとも２つのネットワーク要素ノード間でアップリンクアドレス割当てを行う動作は、マスターノードが、少なくとも２つのアップリンクアドレスに従って、アクセスネットワークを構成する少なくとも２つのネットワーク要素ノード間でアップリンクアドレス割当てを行う動作を含む。割当結果に従ってダウンリンクアドレスをコアネットワークに送信する動作は、マスターノードが、割当結果に従ってダウンリンクアドレスをコアネットワークに送信する動作を含む。すなわち、アクセスネットワークは、マスターノードを介してコアネットワークと制御シグナリングのやり取りを行い、二次ノードの制御命令が、同じくマスターノードを介してコアネットワークに送信される。
【０１０５】
図１１を参照すると、図１１は、本出願の一実施形態に係るコアネットワークの構成を示す模式図である。コアネットワークは、第１のプロセッサ１１１と、第１のメモリ１１２と、第１の通信バス１１３とを含む。
【０１０６】
第１の通信バスは、第１のプロセッサと第１のメモリとの間の接続および通信を実現するように構成される。
【０１０７】
アドレス割当てプログラムは、第１のメモリ１１２に格納される。第１のプロセッサ１１１は、第１のメモリ１１２に格納されたアドレス割当てプログラムを実行して、前述の実施形態のアドレス割当方法のステップを行うように構成されるが、ここでは繰り返さない。
【０１０８】
図１２を参照すると、図１２は、本出願の一実施形態に係るネットワーク要素ノードの構成を示す模式図である。ネットワーク要素ノードは、第２のプロセッサ１１１と、第２のメモリ１１２と、第２の通信バス１２３とを含む。
【０１０９】
第１の通信バスは、第１のプロセッサと第１のメモリとの間の接続および通信を実現するように構成される。
【０１１０】
アドレス割当てプログラムは、第２のメモリ１４２に格納される。第２のプロセッサ１４１は、第２のメモリ１４２に格納されたアドレス割当てプログラムを実行して、前述の実施形態のアドレス割当方法のステップを行うように構成されるが、ここでは繰り返さない。
【０１１１】
図１３を参照すると、図１３は、本出願の一実施形態に係るネットワークシステムの構成を示す模式図である。ネットワークシステムは、コアネットワーク１３１とアクセスネットワーク１３２とを備える。アクセスネットワーク１３２は、少なくとも２つのネットワーク要素ノードの結合によって形成されるコネクティビティネットワークである。
【０１１２】
セッションを確立する場合またはセッションを変更する場合のうち少なくとも１つの場合、コアネットワーク１３１は、少なくとも２つのアップリンクアドレスを構成し、少なくとも２つのアップリンクアドレスをアクセスネットワーク１３２に送信する。少なくとも２つのアップリンクアドレスの一部またはすべては、少なくとも２つのネットワーク要素ノード間で割当てられるために使用される。
【０１１３】
アクセスネットワーク１３２は、コアネットワーク１３１によって送信される少なくとも２つのアップリンクアドレスを受信し、少なくとも２つのアップリンクアドレスに従って、アクセスネットワーク１３２を構成する少なくとも２つのネットワーク要素ノード間でアップリンクアドレス割当てを行う。
【０１１４】
アクセスネットワーク１３２は、ダウンリンクアドレスをコアネットワーク１３１に送信し、少なくとも２つのアップリンクアドレスの使用、および使用アップリンクアドレスとダウンリンクアドレスとの間の対応を求める。コアネットワーク１３１はその後、ダウンリンクアドレスを受信する。
【０１１５】
一実施形態では、少なくとも２つのネットワーク要素ノードは、少なくとも１つのマスターノードと、少なくとも１つのマスターノードを除くネットワーク要素ノードとを含み、ネットワーク要素ノードは二次ノードである。
【０１１６】
アクセスネットワーク１３２は、マスターノードがコアネットワーク１３１によって送信された少なくとも２つのアップリンクアドレスを受信する態様で、コアネットワーク１３１によって送信された少なくとも２つのアップリンクアドレスを受信する。
【０１１７】
アクセスネットワーク１３２は、マスターノードが割当結果に従ってダウンリンクアドレスをコアネットワーク１３１に送信する態様で、コアネットワーク１３１にダウンリンクアドレスを送信する。
【０１１８】
本実施形態は、少なくとも１つのコンピュータプログラムを格納するコンピュータ読取可能記憶媒体を提供する。少なくとも１つのコンピュータプログラムは、前述の実施形態におけるアドレス割当方法のステップを行うように少なくとも１つのプロセッサによって実行可能である。
【０１１９】
なお、本出願の複数のモジュールまたはステップが汎用コンピューティングデバイスによって実現可能であり、かつ、１つのコンピューティングデバイス上に集中させることが可能であること、または、複数のコンピューティングデバイスによって形成されるネットワークにおいて分散可能であることが、当業者によって理解されるであろう。たとえば、これらのモジュールまたはステップは、コンピューティングデバイスによって実行可能なプログラムコードによって実現され得る。そのため、これらのモジュールまたはステップは、ランダムアクセスメモリ（ＲＡＭ）、リードオンリーメモリ（ＲＯＭ）、磁気ディスクまたは光学ディスクなどの記憶媒体に格納可能であり、コンピューティングデバイスによって実行可能である。さらに、場合によっては、図示または説明されたステップは、本明細書で説明された順番とは異なる順番で実行され得る。代替的に、これらのモジュールもしくはステップの各々は、集積回路モジュールに構成されることによって実現可能である、または、これらのモジュールもしくはステップの複数は、１つの集積回路モジュールに構成されることによって実現可能である。それゆえ、本出願は、ハードウェアとソフトウェアとのいかなる組合せにも限定されない。
【図１】
2021520713.tif 000003
【図２】
2021520713.tif 000004
【図３】
2021520713.tif 000005
【図４】
2021520713.tif 000006
【図５】
2021520713.tif 000007
【図６】
2021520713.tif 000008
【図７】
2021520713.tif 000009
【図８】
2021520713.tif 000010
【図９】
2021520713.tif 000011
【図１０】
2021520713.tif 000012
【図１１】
2021520713.tif 000013
【図１２】
2021520713.tif 000014
【図１３】
2021520713.tif 000015
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
アドレス割当方法であって、
セッションを確立する場合、少なくとも２つのアップリンクアドレスを構成し、前記少なくとも２つのアップリンクアドレスをアクセスネットワークに送信することを備え、前記アクセスネットワークは、少なくとも２つのネットワーク要素ノードの結合によって形成されるコネクティビティネットワークであり、前記少なくとも２つのアップリンクアドレスの一部またはすべては、前記少なくとも２つのネットワーク要素ノード間で割当てられるために使用され、前記方法はさらに、
前記アクセスネットワークによって送信される少なくとも１つのダウンリンクアドレスを受信し、前記少なくとも２つのアップリンクアドレスの使用を求めることを備え、
前記セッションが分割セッションであり、前記セッションが少なくとも２つのネットワーク要素ノードに構成される、アドレス割当方法。
【請求項２】
前記少なくとも２つのアップリンクアドレスの使用を求めることは、アップリンクアドレスとダウンリンクアドレスとの間の事前設定されたマッピング関係に従って、前記少なくとも２つのアップリンクアドレスの使用を求めることを含む、請求項１に記載のアドレス割当方法。
【請求項３】
前記アクセスネットワークによって送信された前記少なくとも１つのダウンリンクアドレスを受信することは、
前記アクセスネットワークによって送信され、かつ、前記セッションで構成される前記少なくとも２つのネットワーク要素ノードの各々のネットワーク要素ノードによって使用されるダウンリンクアドレスを受信することを含む、請求項１に記載のアドレス割当方法。
【請求項４】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記セッションで構成される前記少なくとも２つのネットワーク要素ノードは、１つのマスターノードと少なくとも１つの二次ノードとを含む、請求項１に記載のアドレス割当方法。
【請求項５】
前記アクセスネットワークによって送信された前記ダウンリンクアドレスを受信した後で、
リリース通知情報を受信することをさらに備え、前記リリース通知情報は、前記ネットワーク要素ノードに割当てられたアップリンクアドレスの識別情報を含み、前記方法はさらに、
前記リリース通知情報に従って、前記ネットワーク要素ノードに割当てられていない前記アップリンクアドレスをリリースすることを備える、請求項１に記載のアドレス割当方法。
【請求項６】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記少なくとも２つのアップリンクアドレスを前記アクセスネットワークに送信することは、前記少なくとも２つのアップリンクアドレスを前記少なくとも１つのマスターノードに送信することを含み、
前記アクセスネットワークによって送信された前記ダウンリンクアドレスを送信することは、前記少なくとも１つのマスターノードによって送信された前記ダウンリンクアドレスを受信することを含む、請求項１から４のいずれか１項に記載のアドレス割当方法。
【請求項７】
使用アップリンクアドレスと前記ダウンリンクアドレスとの間の対応を求めることをさらに備える、請求項１に記載のアドレス割当方法。
【請求項８】
アドレス割当方法であって、
セッションを確立する場合、コアネットワークによって送信される少なくとも２つのアップリンクアドレスを受信することと、
前記少なくとも２つのアップリンクアドレスに従って、少なくとも２つのネットワーク要素ノードの結合によって形成されるコネクティビティネットワークであるアクセスネットワークを構成する複数のネットワーク要素ノード間でアップリンクアドレス割当てを行うことと、
少なくとも１つのダウンリンクアドレスを前記コアネットワークに送信し、前記少なくとも２つのアップリンクアドレスの使用を求めることを備え、
前記セッションが分割セッションであり、前記セッションが少なくとも２つのネットワーク要素ノードに構成される、アドレス割当方法。
【請求項９】
前記少なくとも２つのアップリンクアドレスの使用を求めることは、アップリンクアドレスとダウンリンクアドレスとの間の事前設定されたマッピング関係に従って、前記少なくとも２つのアップリンクアドレスの使用を求めることを含む、請求項８に記載のアドレス割当方法。
【請求項１０】
前記少なくとも２つのアップリンクアドレスに従って、前記アクセスネットワークを構成する前記複数のネットワーク要素ノード間で前記アップリンクアドレス割当てを行うことは、
前記少なくとも２つのアップリンクアドレスのうち１つを、前記セッションで構成される前記少なくとも２つのネットワーク要素ノードの各ネットワーク要素ノードに割当てることを含む、請求項８に記載のアドレス割当方法。
【請求項１１】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記セッションで構成される前記少なくとも２つのネットワーク要素ノードは、１つのマスターノードと少なくとも１つの二次ノードとを含む、請求項１０に記載のアドレス割当方法。
【請求項１２】
リリース通知情報を送信することをさらに備え、前記リリース通知情報は、前記ネットワーク要素ノードに割当てられたアップリンクアドレスの識別情報を含み、前記リリース通知情報は、前記コアネットワークが前記ネットワーク要素ノードに割当てられていない前記アップリンクアドレスをリリースするために使用される、請求項１０に記載のアドレス割当方法。
【請求項１３】
前記少なくとも２つのネットワーク要素ノードは、少なくとも１つのマスターノードと、前記少なくとも１つのマスターノードを除くネットワーク要素ノードとを含み、前記ネットワーク要素ノードは二次ノードであり、
前記コアネットワークによって送信された前記少なくとも２つのアップリンクアドレスを受信することは、前記少なくとも１つのマスターノードが、前記コアネットワークによって送信された前記少なくとも２つのアップリンクアドレスを受信することを含み、
前記ダウンリンクアドレスを前記コアネットワークに送信することは、前記少なくとも１つのマスターノードが、前記ダウンリンクアドレスを前記コアネットワークに送信することを含む、請求項８〜１２のいずれか１項に記載のアドレス割当方法。
【請求項１４】
使用アップリンクアドレスと前記ダウンリンクアドレスとの間の対応を求めることをさらに備える、請求項８に記載のアドレス割当方法。
【請求項１５】
コアネットワークであって、プロセッサと、メモリと、通信バスとを備え、
前記通信バスは、前記プロセッサと前記メモリとの間の接続および通信を実現するように構成され、
アドレス割当てプログラムが前記メモリに格納され、前記プロセッサは、前記メモリに格納された前記アドレス割当てプログラムを実行して、請求項１〜６のいずれか１項に記載のアドレス割当方法のステップを行うように構成される、コアネットワーク。
【請求項１６】
ネットワーク要素ノードであって、プロセッサと、メモリと、通信バスとを備え、
前記通信バスは、前記プロセッサと前記メモリとの間の接続および通信を実現するように構成され、
アドレス割当てプログラムが前記メモリに格納され、前記プロセッサは、前記メモリに格納された前記アドレス割当てプログラムを実行して、請求項７〜１４のいずれか１項に記載のアドレス割当方法のステップを行うように構成される、コアネットワーク。
【国際調査報告】
2021520713.tif 000016
2021520713.tif 000017
2021520713.tif 000018
2021520713.tif 000019